(57)【要約】この実施形態は、無線通信ネットワークの中のセル（１１、１４）と関連しているシステム情報を取得するためのユーザ装置（１０）における方法と関連している。セル（１１、１４）はネットワークノード（１２、１２'、１５）によってサービスを提供され、ユーザ装置（１０）は、複数のダウンリンクキャリヤの上の信号を同時に受信することが可能である。ユーザ装置（１０）は、ダウンリンクキャリヤにオートノマスギャップを生成し、そのオートノマスギャップを生成するために用いるダウンリンクキャリヤはネットワークノード（１２、１２'、１５）からの受信した指示および／または所定規則に基づいている。前記指示または所定規則はダウンリンクキャリヤを指定する。ユーザ装置（１０）はそれから、生成されたオートノマスギャップを用いてダウンリンクキャリヤでセル（１１、１４）のシステム情報を取得する。
2014525698.tif 000002
【特許請求の範囲】
【請求項１】
無線通信ネットワーク内のセル（１１、１４）と関連しているシステム情報を取得するユーザ装置（１０）における方法であって、前記セル（１１、１４）はネットワークノード（１２、１２'、１５）によりサービスを提供され、前記ユーザ装置（１０）は、複数のダウンリンクキャリヤで同時に信号を受信することが可能であり、前記方法は、
ダウンリンクキャリヤにオートノマスギャップを生成すること（２０４，６０４）であって、ダウンリンクキャリヤにオートノマスギャップを生成するために用いるそのダウンリンクキャリヤは、前記ネットワークノード（１２、１２'、１５）から受信した、前記ダウンリンクキャリヤを指定する指示または所定規則またはその両方に基づいており、
生成されたオートノマスギャップを用いて、前記ダウンリンクキャリヤで前記セル（１１、１４）のシステム情報を取得すること（６０５）と
を有することを特徴とする方法。
【請求項２】
受信した前記指示または所定の規則またはその両方に基づいて、前記セル（１１、１４）のシステム情報を取得するために前記オートノマスギャップを生成するダウンリンクキャリヤを選択すること（６０３）を更に有することを特徴とする請求項１に記載の方法。
【請求項３】
ネットワークノード（１２、１２'）に対して、選択された前記ダウンリンクキャリヤを示している選択指示を送信すること（６０６）をさらに有することを特徴とする請求項２に記載の方法。
【請求項４】
前記指示または所定の規則は、前記ダウンリンクキャリヤが主セルまたは在圏セルに関連しないということを規定することを特徴とする請求項１乃至３のいずれか一項に記載の方法。
【請求項５】
前記ネットワークノード（１２、１２'）からの指示または前記セル（１１、１４）のＩＤまたはその両方を受信すること（６０２）を更に有することを特徴とする請求項１乃至４のいずれか一項に記載の方法。
【請求項６】
前記所定の規則は、前記ダウンリンクキャリヤが、主キャリヤ、副キャリヤ、孤立キャリヤ、システム情報タイプに基づいたキャリヤ、オートノマスギャップのギャップ長または密度またはその両方に基づいたキャリヤのうち少なくともひとつであることを規定することを特徴とする請求項１乃至５のいずれか一項に記載の方法。
【請求項７】
ネットワークノード（１２、１２'、１５）に対して、セルのシステム情報の取得のために複数のダウンリンクキャリヤのうちの任意のダウンリンクキャリヤにオートノマスギャップを生成するための能力を報告すること（２０１，６０１）を更に有することを特徴とする請求項１乃至６のいずれか一項に記載の方法。
【請求項８】
前記指示は、さまざまな異なるタイプのシステム情報を取得するためにオートノマスギャップを生成するための、さまざまな異なる特定のダウンリンクキャリヤを指示することを特徴とする請求項１乃至７のいずれか一項に記載の方法。
【請求項９】
取得した前記システム情報をネットワークノード（１２、１２'）に報告すること（２０５，６０７）を更に有することを特徴とする請求項１乃至８のいずれか一項に記載の方法。
【請求項１０】
セル（１１、１４）のシステム情報が、セルグローバル識別子（ＣＧＩ）、閉鎖的加入者グループ（ＣＳＧ）インジケータ、ハイブリッドＣＳＧインジケータ、マスタ情報ブロック（ＭＩＢ）および１つ以上のシステム情報ブロック（ＳＩＢ）の少なくとのひとつを含むことを特徴とする請求項１乃至９のいずれか一項に記載の方法。
【請求項１１】
無線通信ネットワーク内のセル（１１、１４）と関連しているシステム情報を取得するようユーザ装置（１０）に要求するネットワークノード（１２、１２'、１５）における方法であって、前記セル（１１、１４）は前記ネットワークノード（１２、１２'、１５）によってサービスを提供され、前記ユーザ装置（１０）は複数のダウンリンクキャリヤから同時に信号を受信することが可能であり、前記方法は、
前記セル（１１、１４）と関連しているシステム情報を取得するために前記ユーザ装置（１０）に対してオートノマスギャップを生成するダウンリンクキャリヤを指定する指示を前記ユーザ装置（１０）に送信し（２０３，８０４）、それによって前記セル（１１，１４）に関連するシステム情報を取得するよう前記ユーザ装置（１０）に要求すること
を有することを特徴とする方法。
【請求項１２】
前記ユーザ装置（１０）が前記システム情報を取得するためにオートノマスギャップを生成すべきダウンリンクキャリヤを選択すること（２０２，８０３）を更に有することを特徴とする請求項１１に記載の方法。
【請求項１３】
前記選択すること（２０２，８０３）は、さまざまな異なるタイプのシステム情報を検索するためにさまざまな異なるキャリヤを選択し、前記送信すること（２０３，８０４）は、選択された前記さまざまな異なるキャリヤの指示を送信することを含むことを特徴とする請求項１２に記載の方法。
【請求項１４】
前記ユーザ装置（１０）から、セルのシステム情報の取得のために複数のダウンリンクキャリヤのうちの任意のダウンリンクキャリヤにオートノマスギャップを生成するための前記ユーザ装置（１０）の能力を示す能力表示を受信すること（８０２）を更に有することを特徴とする請求項１１乃至１３のいずれか一項に記載の方法。
【請求項１５】
前記選択すること（８０３）は、受信した前記能力表示、または受信した前記能力表示と追加の基準とに基づくことを特徴とする請求項１２又は１４に記載の方法。
【請求項１６】
前記追加の基準は、隣接しているキャリヤの数が最も少ないダウンリンクキャリヤ、オートノマスギャップにより生じるデータ損失が最小のダウンリンクキャリヤ、時間的に最もクリティカルでないダウンリンクキャリヤ、オートノマスギャップのギャップ長またはギャップ密度またはその両方に基づくダウンリンクキャリヤ、または複数のセルのシステム情報の取得のためにオートノマスギャップが複数のキャリヤに分散されるかどうか、の少なくともひとつを含むことを特徴とする請求項１５に記載の方法。
【請求項１７】
セルのシステム情報の取得のために複数のダウンリンクキャリヤのうちの任意のダウンリンクキャリヤにオートノマスギャップを生成するための前記ユーザ装置（１０）の機能を報告するよう前記ユーザ装置（１０）に要求すること（８０１）を更に有することを特徴とする請求項１１乃至１６のいずれか一項に記載の方法。
【請求項１８】
前記ネットワークノードが第１のネットワークノード（１２、１２'）であり、
前記ユーザ装置（１０）がオートノマスギャップを生成するダウンリンクキャリヤを指示するキャリヤ指示、または前記セルのシステム情報の取得のために複数のダウンリンクキャリヤのうちの任意のダウンリンクキャリヤにオートノマスギャップを生成するユーザ装置（１０）の機能を示している能力表示、またはその両方を、前記第２のネットワークノード（１５）に送信すること（８０５）を更に有することを特徴とする請求項１１乃至１７のいずれか一項に記載の方法。
【請求項１９】
ユーザ装置（１０）または第１のネットワークノード（１２、１２'）からのオートノマスギャップ情報を処理する第２のネットワークノード（１５）における方法であって、オートノマスギャップは、無線通信ネットワーク内のセル（１１，１４）に関連するシステム情報を取得するために前記ユーザ装置により生成され、セル（１１，１４）は前記第１のネットワークノード（１２、１２'）によりサービスを提供され、前記ユーザ装置（１０）は、複数のダウンリンクキャリヤから同時に信号を受信することが可能であり、前記方法は、
システム情報を取得するためのオートノマスギャップをダウンリンクキャリヤに生成するための、前記ユーザ装置（１０）の能力の情報、または、前記ユーザ装置（１０）がセルのシステム情報を取得するためにオートノマスギャップを生成すべきダウンリンクキャリヤを特定する情報、またはその両方を前記ユーザ装置（１０）または前記第１のネットワークノード（１２，１２'）から取得すること（１００１）と、
前記能力の情報またはダウンリンクの情報またはその両方を用いて、ダウンリンクキャリヤを、ハンドオーバまたはセル変更の後にシステム情報を取得するようユーザ装置（１０）に要求することと、システム情報を取得するためにオートノマスギャップが或るダウンリンクキャリヤに生成されるかどうかに応じて少なくとも１つの物理層パラメータを設定することと、オートノマスギャップがキャリヤに生成されるかどうかに応じて前記キャリヤ上のポジショニング測定に関連した設定パラメータを選択することと、ネットワークパフォーマンスモニタリングと、ネットワーク計画または展開と、無線管理タスクとの少なくともいずれかひとつのために設定することを特徴とする方法。
【請求項２０】
前記無線管理タスクが、前記ユーザ装置（１０）によってオートノマスギャップがより高い頻度で生成されるダウンリンクキャリヤに応じて、少なくともひとつの物理層パラメータおよび設定を選択することを含むことを特徴とする請求項１９に記載の方法。
【請求項２１】
無線通信ネットワークの中のセル（１１、１４）と関連しているシステム情報を取得するためのユーザ装置（１０）であって、セル（１１、１４）はネットワークノード（１２、１２'、１５）によりサービスを提供され、前記ユーザ装置（１０）は、複数のダウンリンクキャリヤで同時に信号を受信するよう構成されており、前記ユーザ装置（１０）は、
ダウンリンクキャリヤにオートノマスギャップを生成するよう構成された生成回路（７０１）であって、ダウンリンクキャリヤにオートノマスギャップを生成するために用いるそのダウンリンクキャリヤは、前記ネットワークノード（１２、１２'、１５）から受信した、ダウンリンクキャリヤを指定する指示または所定規則またはその両方に基づいているところの生成回路（７０１）と、
生成された前記オートノマスギャップを用いて、前記ダウンリンクキャリヤで前記セル（１１、１４）のシステム情報を取得するよう構成された取得回路（７０２）と
を有することを特徴とするユーザ装置（１０）。
【請求項２２】
受信した前記指示または所定規則またはその両方に基づいて、前記セル（１１、１４）のシステム情報を取得するために前記オートノマスギャップを生成するダウンリンクキャリヤを選択するよう構成された選択回路（７０３）を更に有することを特徴とする請求項２１に記載のユーザ装置（１０）。
【請求項２３】
ネットワークノード（１２）に対して、選択された前記ダウンリンクキャリヤを示している選択指示を送信するよう構成された送信機（７０４）を更に有することを特徴とする請求項２２に記載のユーザ装置（１０）。
【請求項２４】
前記指示または所定の規則は、前記ダウンリンクキャリヤが主セルまたは在圏セルに関連しないということを規定することを特徴とする請求項２１乃至２３のいずれか一項に記載のユーザ装置（１０）。
【請求項２５】
前記ネットワークノード（１２、１２'）からの指示または前記セル（１１、１４）のＩＤまたはその両方を受信するよう構成された受信機（７０５）を更に有することを特徴とする請求項２１乃至２４のいずれか一項に記載のユーザ装置（１０）。
【請求項２６】
前記所定の規則は、前記ダウンリンクキャリヤが、主キャリヤ、副キャリヤ、孤立キャリヤ、システム情報タイプに基づいたキャリヤ、オートノマスギャップのギャップ長または密度またはその両方に基づいたキャリヤのうち少なくともひとつであることを規定することを特徴とする請求項２１乃至２５のいずれか一項に記載のユーザ装置（１０）。
【請求項２７】
ネットワークノード（１２、１２'、１５）に対して、セルのシステム情報の取得のために複数のダウンリンクキャリヤのうちの任意のダウンリンクキャリヤにオートノマスギャップを生成するための能力を報告するよう構成された報告回路（７０６）を更に有することを特徴とする請求項２１乃至２６のいずれか一項に記載のユーザ装置（１０）。
【請求項２８】
前記指示は、さまざまな異なるタイプのシステム情報を取得するためにオートノマスギャップを生成するのため、さまざまな異なる特定のダウンリンクキャリヤを指示することを特徴とする請求項２１乃至２７のいずれか一項に記載のユーザ装置（１０）。
【請求項２９】
報告回路（７０６）が、取得した前記システム情報をネットワークノード（１２、１２'）に報告するよう構成されることを特徴とする請求項２１乃至２８のいずれか一項に記載のユーザ装置（１０）。
【請求項３０】
セル（１１、１４）のシステム情報が、セルグローバル識別子（ＣＧＩ）、閉鎖的加入者グループ（ＣＳＧ）インジケータ、ハイブリッドＣＳＧインジケータ、マスタ情報ブロック（ＭＩＢ）および１つ以上のシステム情報ブロック（ＳＩＢ）の少なくともひとつを含むことを特徴とする請求項２１乃至２９のいずれか一項に記載のユーザ装置（１０）。
【請求項３１】
無線通信ネットワーク内のセル（１１、１４）と関連しているシステム情報を取得するようユーザ装置（１０）に要求するネットワークノード（１２、１２'、１５）であって、前記ネットワークノード（１２、１２'、１５）は前記セル（１１、１４）にサービスを提供し、前記ユーザ装置（１０）は複数のダウンリンクキャリヤから同時に信号を受信することが可能であり、前記ネットワークノード（１２、１２'、１５）は、
前記セル（１１、１４）と関連しているシステム情報を取得するために前記ユーザ装置（１０）に対してオートノマスギャップを生成するダウンリンクキャリヤを指定する指示を前記ユーザ装置（１０）に送信する（２０３，８０４）よう構成され、それによって前記セル（１１，１４）に関連するシステム情報を取得するよう前記ユーザ装置（１０）に要求する送信機（９０１）を有することを特徴とするネットワークノード（１２、１２'、１５）。
【請求項３２】
前記ユーザ装置（１０）が前記システム情報を取得するためにオートノマスギャップを生成すべきダウンリンクキャリヤを選択するよう構成された選択回路（９０２）を更に有することを特徴とする請求項３１に記載のネットワークノード（１２、１２'、１５）。
【請求項３３】
前記選択回路（９０２）が、さまざまな異なるタイプのシステム情報を検索するためにさまざまな異なるキャリヤを選択するように構成され、前記送信機（９０１）が、選択された前記さまざまな異なるキャリヤの指示を送信するよう構成されることを特徴とする請求項３２に記載のネットワークノード（１２、１２'、１５）。
【請求項３４】
前記ユーザ装置（１０）から、セルのシステム情報の取得のために複数のダウンリンクキャリヤのうちの任意のダウンリンクキャリヤにオートノマスギャップを生成するための前記ユーザ装置（１０）の能力を示す能力表示を受信するよう構成された受信機（９０３）を更に有することを特徴とする請求項３１乃至３３のいずれか一項に記載のネットワークノード（１２、１２'、１５）。
【請求項３５】
前記選択回路（９０２）は、受信した前記能力表示、または受信した前記能力表示と追加の基準とに基づいてダウンリンクキャリヤを選択するよう構成されることを特徴とする請求項３２または３４に記載のネットワークノード（１２、１２'、１５）。
【請求項３６】
前記追加の基準は、隣接しているキャリヤの数が最も少ないダウンリンクキャリヤ、オートノマスギャップにより生じるデータ損失が最小のダウンリンクキャリヤ、時間的に最もクリティカルでないダウンリンクキャリヤ、オートノマスギャップのギャップ長またはギャップ密度またはその両方に基づくダウンリンクキャリヤ、または複数のセルのシステム情報の取得のためにオートノマスギャップが複数のキャリヤに分散されるかどうか、の少なくともひとつを含むことを特徴とする特徴とする請求項３５に記載のネットワークノード（１２、１２'、１５）。
【請求項３７】
セルのシステム情報の取得のために複数のダウンリンクキャリヤのうちの任意のダウンリンクキャリヤにオートノマスギャップを生成するための前記ユーザ装置（１０）の機能を報告するよう前記ユーザ装置（１０）に要求するよう構成された要求回路（９０４）を更に有することを特徴とする請求項３１乃至３６のいずれか一項に記載のネットワークノード（１２、１２'、１５）。
【請求項３８】
前記ネットワークノードが第１のネットワークノード（１２、１２'）であり、
前記ユーザ装置（１０）がオートノマスギャップを生成するダウンリンクキャリヤを指示するキャリヤ指示、または前記セルのシステム情報の取得のために複数のダウンリンクキャリヤのうちの任意のダウンリンクキャリヤにオートノマスギャップを生成するユーザ装置（１０）の機能を示している能力表示、またはその両方を、第２のネットワークノード（１５）に送信するように構成された送信回路（９０５）を更に有することを特徴とする請求項３１乃至３７のいずれか一項に記載のネットワークノード（１２、１２'、１５）。
【請求項３９】
ユーザ装置（１０）または第１のネットワークノード（１２、１２'）からのオートノマスギャップ情報を処理する第２のネットワークノード（１５）であって、オートノマスギャップは、無線通信ネットワーク内のセル（１１，１４）に関連するシステム情報を取得するために前記ユーザ装置により生成され、セル（１１，１４）は前記第１のネットワークノード（１２、１２'）によりサービスを提供され、前記ユーザ装置（１０）は、複数のダウンリンクキャリヤから同時に信号を受信することが可能であり、前記第２のネットワークノード（１５）は、
システム情報を取得するためのオートノマスギャップをダウンリンクキャリヤに生成するための、前記ユーザ装置（１０）の能力の情報、または、前記ユーザ装置（１０）がセルのシステム情報を取得するためにオートノマスギャップを生成すべきダウンリンクキャリヤを特定する情報、またはその両方を前記ユーザ装置（１０）または前記第１のネットワークノード（１２，１２'）から取得するよう構成された取得回路（１１０１）と、
前記能力の情報またはダウンリンクの情報またはその両方を用いて、ダウンリンクキャリヤを、
ハンドオーバまたはセル変更の後にシステム情報を取得するようユーザ装置（１０）に要求することと、
システム情報を取得するためにオートノマスギャップが或るダウンリンクキャリヤに生成されるかどうかに応じて少なくとも１つの物理層パラメータを設定することと、
オートノマスギャップがキャリヤに生成されるかどうかに応じて前記キャリヤ上のポジショニング測定に関連した設定パラメータを選択することと、
ネットワークパフォーマンスモニタリングと、
ネットワーク計画または展開と、
無線管理タスクと
の少なくともいずれかひとつのために設定する使用回路（１１０２）と
を有することを特徴とする第２のネットワークノード（１５）
【請求項４０】
前記無線管理タスクが、前記ユーザ装置（１０）によってオートノマスギャップがより高い頻度で生成されるダウンリンクキャリヤに応じて、少なくともひとつの物理層パラメータおよび設定を選択することを含むことを特徴とする請求項３９に記載の第２のネットワークノード（１５）。
【発明の詳細な説明】
【技術分野】
【０００１】
この実施形態は、ユーザ装置、ネットワークノード、第２のネットワークノードおよび方法と関連している。特にここのいくつかの実施形態は、セルと関連しているシステム情報を取得すること或いは取得を要求することと、オートノマスギャップ情報を処理することに関する。
【背景技術】
【０００２】
今日の無線通信ネットワークにおいて、様々な多くの技術、例えば少数の有力な実装に言及するだけでも、長期発展（ＬＴＥ）、ＬＴＥアドバンスト、広帯域符号分割多元接続（ＷＣＤＭＡ）、グローバル・システム・フォー・モバイル・コミュニケーションズ／ＧＳＭ発展のための強化型データレート（ＧＳＭ／ＥＤＧＥ）、マイクロ波アクセスのための世界規模相互運用（ＷｉＭａｘ）、またはウルトラモバイルブロードバンド（ＵＭＢ）などが利用されている。無線通信ネットワークは、ひとつのセルを成形している少なくとも１つのそれぞれの地理上の領域の上で無線サービスエリアを提供している無線基地局を含む。セルの定義はまた、送信のために使われる周波数帯域を含んでもよく、そのことは、２つの異なるセルが同じ地理上の領域をカバーするが、異なる周波数帯域を使用することがあることを意味している。ユーザ装置（ＵＥ）はセル内でそれぞれの無線基地局によりサービスを受け、それぞれの無線基地局と通信している。ユーザ装置は、アップリンク（ＵＬ）送信においては、無線基地局へ電波または無線インターフェイスでデータを送信し、無線基地局は、ダウンリンク（ＤＬ）送信においては、ユーザ装置へ電波または無線インターフェイスでデータを送信する。
【０００３】
ＷＣＤＭＡ／高速パケットアクセス（ＨＳＰＡ）とＬＴＥ技術はさらに発展し、マルチキャリヤシステムに向けて絶え間なく発展している。複数の受信機または広帯域受信機を持っているマルチキャリヤユーザ装置は、一般にギャップなしでインターフリークエンシキャリヤ上で測定することができる。しかし、そのようなユーザ装置は、まだ、インター無線アクセステクノロジー（ＲＡＴ）キャリヤの上の、および追加のインターフリークエンシキャリヤの上の測定を実行するために、測定用ギャップ（すなわち測定の実行のための信号の受信だけ）を必要とすることがある。ここで「インター」は異なる複数の周波数を意味する。追加のインターフリークエンシキャリヤはギャップなしで測定できない。例えば、２セル高速アップリンクパケットアクセス（ＤＣ−ＨＳＵＰＡ）において、ユーザ装置は、ギャップなしで主ＤＬキャリヤに隣接している副ＤＬキャリヤで測定することができる。しかし、同じユーザ装置は、どれが主ＤＬキャリヤに隣接していないか、または、別のバンド（例えば、ユーザ装置がバンドＢをサポートするならばバンドＢ）に属するかをインターフリークエンシキャリヤ上で測定するために、ギャップを必要とする。従来のマルチキャリヤシステムでは、ユーザ装置がターゲットセルのシステム情報を読み取ることを要求された場合、オートノマスギャップが主ＤＬキャリヤまたは主セル（ＰＣｅｌｌ）上のユーザ装置によって生成される。ユーザ装置がキャリヤアグリゲーション（ＣＡ）、例えばバンド間ＣＡ可能であり、複数の受信機チェインを持っていたとしても、オートノマスギャップは主ＤＬキャリヤの上で生成される。この場合に、主ＤＬキャリヤと副ＤＬキャリヤとは違うバンドで、例えば主ＤＬキャリヤと副ＤＬキャリヤはバンドＡとバンドＢの上でそれぞれ別々のチェインを用いて機能する。例えば、従来技術においては、ユーザ装置が、副ＤＬキャリヤの上でターゲットセルのシステム情報を読むとしても、オートノマスギャップは主ＤＬキャリヤの上で常に生成される。従って、今日ユーザ装置は主ＤＬキャリヤの上の測定用ギャップ、例えばオートノマスギャップの間に、システム情報の検索を実行する。その検索は、主ＤＬキャリヤの上のデータ検索中の中断を引き起こす。従って、これまで見られた無線通信ネットワークの性能は低下する。
【発明の概要】
【０００４】
本実施形態の目的は、無線通信ネットワークの性能を改善することである。
【０００５】
この目的は、ユーザ装置が、無線通信ネットワークの中のセルと関連しているシステム情報を取得するための方法によって達成される。セルは、無線基地局または運用及び保守ノードなどのネットワークノードによって提供される。ユーザ装置は、同時に複数のダウンリンクキャリヤの上の信号を受信することが可能で、例えばマルチキャリヤユーザ装置またはキャリヤアグリゲーションユーザ装置である。ユーザ装置はダウンリンクキャリヤの上のオートノマスギャップを生成する。オートノマスギャップをそのうえで生成するために用いるダウンリンクキャリヤは、ネットワークノードから受信した指示または所定の規則またはその両方に基づく。従って、指示または所定の規則はダウンリンクキャリヤを特定する。それからユーザ装置は生成されたオートノマスギャップを使っているダウンリンクキャリヤの上でセルのシステム情報を取得する。
【０００６】
別の面によると、目的は、ユーザ装置に、無線通信ネットワークの中のセルと関連しているシステム情報を取得することを要求するためのネットワークノード、例えば第１のネットワークノードまたは第２のネットワークノードにおける方法を提供することによって達成される。セルは、ネットワークノードによって提供され、上述したように、ユーザ装置は、同時に複数のダウンリンクキャリヤで信号を受信することが可能である。ネットワークノードは指示をユーザ装置に送信する。ユーザ装置がセルと関連しているシステム情報を取得するようにオートノマスギャップを生成するために、指示はダウンリンクキャリヤを指定する。
【０００７】
また別の面によると、目的は、ユーザ装置または無線基地局などの第１のネットワークノードからのオートノマスギャップ情報を処理するための運用及び保守ノードなどの第２のネットワークノードにおける方法を提供することによって達成される。オートノマスギャップは無線通信ネットワークの中のセルと関連しているシステム情報取得のためにユーザ装置によって生成される。セルは第１のネットワークノードによって提供され、ユーザ装置は、同時に複数のダウンリンクキャリヤから信号を受信することが可能である。第２のネットワークノードは、ユーザ装置または第１のネットワークノードから、該ユーザ装置の能力の情報を取得し、ダウンリンクキャリヤの上でオートノマスギャップを生成する。ギャップはシステム情報の取得のためである。第２のネットワークノードはさらに、または追加的に、または代わりに、ユーザ装置が、セルのシステム情報の取得のためにオートノマスギャップをダウンリンクギャップ上で生成すべきそのダウンリンクキャリヤを指定している情報を受信する。そして第２のネットワークノードは、能力またはダウンリンクキャリヤの情報またはその両方を利用して、次の１つ以上のためにダウンリンクキャリヤを設定する。ハンドオーバまたはセル変更後にシステム情報を取得するようユーザ装置に要求すること；システム情報を取得するために或るダウンリンクキャリヤにオートノマスギャップが生成されるかどうかに応じて、１つ以上の物理レイヤのパラメータを設定すること、前記キャリヤにオートノマスギャップが生成されるかどうかに応じて、前記キャリヤ上の位置決め測定に関連した設定パラメータを選択すること、ネットワーク性能を監視すること、ネットワークを計画または展開すること、無線管理タスク。
【０００８】
またさらに別の面によると、目的は無線通信ネットワークの中のセルと関連しているシステム情報を取得するためにユーザ装置によって達成される。このセルはネットワークノードによって提供され、ユーザ装置は、同時に複数のダウンリンクキャリヤの上の信号を受信するよう構成される。ユーザ装置は、ダウンリンクキャリヤにオートノマスギャップを生成するよう構成された生成回路を有する。ダウンリンクキャリヤの上でオートノマスギャップを生成するために使うそのダウンリンクキャリヤは、ネットワークノードからの受信した指示または所定の規則またはその両方に基づく。指示または所定の規則はダウンリンクキャリヤを指定する。ユーザ装置は、生成されたオートノマスギャップを使っているダウンリンクキャリヤの上のセルのシステム情報を取得するよう構成された取得回路をさらに含む。
【０００９】
また別の面によると、目的は、無線通信ネットワークの中のセルと関連しているシステム情報を取得することをユーザ装置に要求するためのネットワークノードによって達成される。ネットワークノードは、セルにサービスするよう構成され、ユーザ装置は、同時に複数のダウンリンクキャリヤから信号を受信することが可能である。ネットワークノードは、指示をユーザ装置に送信するよう構成された送信機から成っている。ユーザ装置がセルと関連しているシステム情報を取得するためのオートノマスギャップを生成するために、指示はダウンリンクキャリヤを指定する。従って、セルと関連しているシステム情報を取得するよう、ネットワークノードはユーザ装置に要求する。
【００１０】
また別の面によると、目的は、ユーザ装置または第１のネットワークノードからのオートノマスギャップ情報を処理するための第２のネットワークノードによって達成される。オートノマスギャップは無線通信ネットワークの中のセルと関連しているシステム情報を取得するためにユーザ装置によって生成される。セルは第１のネットワークノードによって提供され、ユーザ装置は、同時に複数のダウンリンクキャリヤから信号を受信することが可能である。第２のネットワークノードは、ダウンリンクキャリヤの上のオートノマスギャップを生成するために、ユーザ装置または第１のネットワークノードからユーザ装置の能力の情報を取得するよう構成された取得回路から成っている。オートノマスギャップはシステム情報の取得のためである。取得回路は、さらに、または代わりに、ユーザ装置が、ダウンリンクキャリヤの上でセルのシステム情報を取得するためのオートノマスギャップを生成するはずのそのダウンリンクキャリヤを指定している情報を取得するよう構成される。第２のネットワークノードは、能力情報またはダウンリンクキャリヤの情報またはその両方を使用して次の１つ以上のためにダウンリンクキャリヤを設定するよう構成された利用回路をさらに含む：ハンドオーバまたはセル変更の後にシステム情報を取得することをユーザ装置に要求すること；オートノマスギャップがシステム情報の取得のために或るダウンリンクキャリヤに生成されるかどうかに応じて１つ以上の物理層パラメータを設定すること；オートノマスギャップがキャリヤの上で生成されるかどうかに応じてそのキャリヤの上の位置決め測定と関連した設定パラメータを選択すること；ネットワークパフォーマンスを監視すること；ネットワークを計画または展開すること；無線管理タスク。
【００１１】
実施形態はここに、ネットワークノードがユーザ装置がセルのシステム情報を読み取るためのオートノマスギャップをダウンリンクキャリヤの上で生成する、たとえばキャリヤ周波数または周波数帯域またはその両方などの、そのダウンリンクキャリヤを柔軟に指定することを可能にする。或るＤＬキャリヤにおけるデータ中断または損失を引き起こす、オートノマスギャップが重要な情報を搬送するサービングキャリヤや主キャリヤなどの或るＤＬキャリヤの上で常に生成される状況が防止される。その結果、無線通信ネットワークの実際の性能と同様にこれまで経験した性能が改善される。
【００１２】
実施形態は、付属する図面に関連してより詳細な記述において説明されるであろう。
【図面の簡単な説明】
【００１３】
【図１】無線通信ネットワークを示すブロック図である。
【図２】結合されたフローチャートとシグナリング方式である。
【図３】３ＤＬキャリヤをサポートしているマルチキャリヤＵＥの割り当て済み帯域幅を示す。
【図４】２つのバンドの中で５ＤＬキャリヤをサポートしているマルチキャリヤＵＥの割り当て済み帯域幅を示す。
【図５】３つのバンドの中で６ＤＬキャリヤをサポートしているマルチキャリヤＵＥの割り当て済み帯域幅を示す。
【図６】本実施形態に従ってユーザ装置における方法を示す概略フローチャートである。
【図７】いくつかの実施形態に従ってユーザ装置を示すブロック図である。
【図８】本実施形態に従ってネットワークノードにおける方法を示す概略フローチャートである。
【図９】いくつかの実施形態に従ってネットワークノードを示すブロック図である。
【図１０】実施形態に従って第２のネットワークノードにおける方法を示す概略フローチャートである。
【図１１】いくつかの実施形態に従って第２のネットワークノードを示すブロック図である。
【発明を実施するための形態】
【００１４】
図１は、たとえばＬＴＥ、ＬＴＥアドバンスト、ＷＣＤＭＡ、ＧＳＭ／ＥＤＧＥ、ＷｉＭａｘ、符号分割多元接続２０００（ＣＤＭＡ２０００）、またはＵＭＢ（少数の有力な実装に言及するだけのネットワーク）などの無線通信ネットワークの図式的概観である。
【００１５】
この無線通信ネットワークは、第１のセル１１として例示されたセルを形成している少なくとも１つの地理的な領域の上で無線サービスエリアを提供している無線基地局１２'などの第１のネットワークノード１２を含む。無線基地局１２'はまた、例えば利用された無線アクセス技術及び用語に応じて、例えばノードＢや発展型ノードＢ、（ｅＮＢ、ｅＮｏｄｅＢ）、ベーストランシーバーステーション、アクセスポイント基地局、基地局ルータ、または無線基地局１２によって提供されたセルの中でユーザ装置と通信することができるすべての他のネットワークユニットと称されることができる。無線ネットワークノードの例は無線ネットワークコントローラ（ＲＮＣ）、リレー、基地局、ドナーノード、例えばＤｅＮＢなどである。
【００１６】
ユーザ装置１０は第１のセル１１中で無線基地局１２' によってサービスされ、無線基地局１２'と通信している。第１のセル１１はこの例におけるユーザ装置１０に対する在圏または主セルである。ユーザ装置１０は無線インターフェイスの上でデータをアップリンク（ＵＬ）送信の中で無線基地局１２'に送信し、無線基地局１２'はダウンリンク（ＤＬ）送信の中でデータをユーザ装置１０に送信する。当業者は、「ユーザ装置」が、どのようなワイアレス端末、装置器具、またはノード、例えば携帯情報端末（ＰＤＡ）、ラップトップ、モバイル、センサー、リレー、モバイルのタブレット、またはそれぞれのセルの中で通信している小さな基地局さえも意味している制限のない用語であることを理解すべきである。従って、実施形態の中で、用語「ユーザ装置」は、オートノマスギャップを生成することによってセルのシステム情報（ＳＩ）を読むことが可能などのようなタイプのワイアレスノードであってもよい。例えば実施形態は、コンピュータで使用される無線統合カードのような埋め込みデバイス、コンピュータで使用されるユニバーサルシリアルバス（ＵＳＢ）のようなプラグインされた無線カード、モバイル中継器、中継器として作動しているワイアレス端末、デバイスからデバイスへの通信のために利用されるワイアレス端末、ターゲットデバイス、ホーム基地局（ＨＢＳ）またはフェムト基地局などにさえ等しく適用可能である。ＨＢＳは通常、別のセル、例えばマクロセルのＳＩを測定し、取得するために、測定ユニットを持っている。
【００１７】
第２のセル１４を成形していて、また副セルと称される別の地理的な領域の上で、無線基地局１２'は無線サービスエリアを提供する。ユーザ装置１０は、同時に複数のダウンリンクキャリヤの上の信号を受信することが可能で、例えばマルチキャリヤアグリゲーションが可能で、それから、ユーザ装置１０は、ユーザ装置１０に対する、またはユーザ装置１０からの、またはその両方の、伝送速度または帯域幅またはその両方を増大させることができる。第２のセル１４は第２の無線基地局または同じ無線基地局１２'によってコントロールされ得る。無線通信ネットワークは第２のネットワークノード１５をさらに含む（それは運用及び保守ノード（Ｏ＆Ｍ）、第２の無線基地局、または他のネットワークノードであってよい）。第１と第２のネットワークノード１２、１２'、１５は一般的にネットワークノードと称される。第２のネットワークノードはさらに、コアネットワークノード、例えばモビリティ管理エンティティ（ＭＭＥ）、アクセスゲートウェイ、任意の位置サーバや拡張在圏移動ポジショニングセンター（Ｅ−ＳＭＬＣ）などのポジショニングノードの少なくともいずれかでもさらに含むことができる。
【００１８】
本実施形態において、焦点は、ユーザ装置１０のためのオートノマスギャップ設定の面にある（それはまた測定用ギャップ設定と称されてもよい）。用語「自律的」は、ネットワークが、正確にいつギャップが生成されるかを知らないことを意味していて、そのギャップは、セルのＳＩを取得するために使われる。上述したように、ユーザ装置１０は、同時に複数のダウンリンクキャリヤの上の信号を受信することが可能である。これは、マルチキャリヤ能力があり、かつキャリヤアグリゲーション（ＣＡ）能力があるユーザ装置をカバーする。しかしここで開示された技術はまた、マルチキャリヤ／ＣＡ能力はないかもしれないが、測定用ギャップまたは圧縮モードパターンを用いずにインターフリークエンシキャリヤまたはインターＲＡＴキャリヤの少なくとも１の上で、正常な測定、例えば、インターフリークエンシＬＴＥ基準信号受信電力（ＲＳＲＰ）／基準信号受信品質（ＲＳＲＱ）、インターフリークエンシ高速パケットアクセス（ＨＳＰＡ）共通パイロットチャンネル（ＣＰＩＣＨ）測定、インターＲＡＴ  ＧＳＭキャリヤ受信信号強度インジケータ（ＲＳＳＩ）などを遂行するための、例えば付加的無線受信機などの手段を持ち得るユーザ装置に対して適用可能である。
【００１９】
最初に、マルチキャリヤまたは説明されたアグリゲーションの概念を説明する。
【００２０】
ＲＡＴ内キャリヤアグリゲーション
技術の中でピークレートを高めるために、マルチキャリヤまたはキャリヤアグリゲーションのソリューションが知られている。例えば、ＨＳＰＡネットワークの中でピークレートを高めるためにＨＳＰＡにおいて複数の５ＭＨｚのキャリヤを使うことが可能で、複数のＬＴＥキャリヤのアグリゲーションを容易にするＬＴＥリリース１０のための作業が進行中である。マルチキャリヤまたはキャリヤアグリゲーションシステムの中の各キャリヤは一般にコンポーネントキャリヤ（ＣＣ）と呼ばれるか、しばしば、またセルと称される。簡単にいえば、ＣＣはマルチキャリヤシステムの中の個々のキャリヤを意味している。用語「キャリヤアグリゲーション（ＣＡ）」はまた例えば「マルチキャリヤシステム」、「マルチセルオペレーション」、「マルチキャリヤオペレーション」、「マルチキャリヤ」送信および／または受信と区別なく呼ばれる。これは、ＣＡが、アップリンクおよびダウンリンク方向のシグナリングとデータの送信のために用いられることを意味している。ＣＣの１つは主キャリヤまたはアンカーキャリヤであり、残りは副キャリヤ、または補助キャリヤと呼ばれる。一般に、主ＣＣまたはアンカーＣＣは、ＵＥ固有の必須事項のシグナリングを搬送する。主ＣＣはアップリンクおよびディレクションＣＡの両方に存在している。ネットワーク（例えば無線基地局１２'）は別の主キャリヤを、同じセクタまたはセルで動作している別のユーザ装置に割り当てることができる。
【００２１】
キャリヤアグリゲーションのおかげで、ユーザ装置１０は複数の在圏セルを持っている。１つの主在圏セルと１つ以上の副在圏セルである。在圏セル（例えば第１のセル１１）は、主セル（ＰＣｅｌｌ）、主キャリヤ、または主在圏セル（ＰＳＣ）として区別なく呼ばれる。同様に、副在圏セル１４は、副セル（ＳＣｅｌｌ）または副在圏セル（ＳＳＣ）として区別なく呼ばれる。用語にかかわらず、ＰＣｅｌｌとＳＣｅｌｌ（ｓ）は、ユーザ装置１０にデータの受信と送信とを可能とする。より具体的には、ＰＣｅｌｌとＳｃｅｌｌは、ユーザ装置１０によるデータの受信及び送信のためにＤＬとＵＬとに存在している。ＰＣＣとＳＣＣの上の残りの在圏セルではないセルは隣接セルと呼ばれる。
【００２２】
ＣＡに属しているＣＣは、同じ周波数帯域に属するか（別名バンド内ＣＡ）、または違う周波数帯域に属するか（別名バンド間ＣＡ）、またはそれのすべての組み合わせ、例えば、バンドＡ中の２つのＣＣとバンドＢ中の１つのＣＣとに属することができる。バンド内ＣＡ内のキャリヤは隣接していてもよいし（別名連続）、または隣接していなくてもよい（別名不連続）。不連続バンド内ＣＡにおいて、ギャップの中のキャリヤは他のオペレータによって使われることができる。一般にバンド内ＣＡにおいて、ユーザ装置１０は、１つの無線周波数（ＲＦ）受信機チェーンと、特に合計の集められたキャリヤが一定の限界、例えばＨＳＰＡについて合計で２０ＭＨｚまたはＬＴＥについて合計で４０ＭＨｚの中にある場合には、集められたキャリヤをそれぞれ受信し、送信するためのＲＦ送信機チェーンとを必要とすることがある。さもなければ、ユーザ装置１０は、特に不連続ＣＡの場合に、集められたより多くのキャリヤのために、複数のＲＦ送受信機チェーンを実装する必要がある。
【００２３】
２つのバンドに分散されたＤＬキャリヤを含むバンド間ＣＡは、ＨＳＰＡにおける２バンド２キャリヤ高速ダウンリンクパケットアクセス（ＤＢ−ＤＣ−ＨＳＤＰＡ）とも呼ばれる。さらに、バンド内ＣＡにおけるＣＣは周波数領域で隣接であるか、隣接でない（別名のバンド内不隣接ＣＡ）。バンド内隣接、バンド内不隣接、およびバンド間を含むハイブリッドＣＡもまたあり得る。
【００２４】
ＨＳＰＡリリース１０においては、ＤＬキャリヤまたはＤＬセルが、同じ周波数帯域に属するか、または２つを超える異なる周波数帯域、例えばバンドＩ（２．１ＧＨｚ）内の３つの隣接ＤＬキャリヤ及びバンドＶＩＩＩ（９００ＭＨｚ）内の１つのＤＬキャリヤに分かれた最大４つまでのＤＬキャリヤを集めることができる（別名４Ｃ−ＨＳＤＰＡ）。ＨＳＰＡリリース１１においては、８ＤＬまでのキャリヤを集めることができて、８Ｃ−ＨＳＤＰＡと呼ばれる。ＤＬキャリヤは２つまたはより多くの帯域にも分散することができる。ＨＳＰＡ及びＬＴＥ仕様書の現在のバージョン、すなわちリリース１０においては、高次レイヤ（例えば無線リソースコントロール（ＲＲＣ））によって設定される場合には、１つの周波数帯域に属しているすべてのキャリヤは隣接していなければならないことがある。しかし、同じバンドの中で隣接していないキャリヤ上のオペレーションはキャリヤの活性化または非活性化またはその両方に起因することがあり、それは低次レイヤ（例えば媒体アクセス制御（ＭＡＣ）層））によって実行される。しかし上述したように、同じ帯域の中で隣接していないキャリヤが設定可能であることは、ユーザ装置１０がこの能力をサポートすることで提供される。
【００２５】
ＬＴＥバンド内ＣＡにおいては、原則として、各々が２０ＭＨｚまでの最高５つまでのＤＬキャリヤおよびＵＬキャリヤをユーザ装置１０は集めることができる。追加のキャリヤさえ将来のリリースにおいて導入できる。少なくとも、リリース１０で、２つのＤＬキャリヤと２つのＵＬキャリヤ（すなわちＵＬ及びＤＬで最高４０ＭＨｚ）については、ＵＥの必要条件は存在している。バンド内不連続ＣＡも、ＤＬとＵＬの両方でＬＴＥにおいて可能である。ユーザ装置１０はシングルＲＦチェーンまたは集められた帯域幅に依存している複数のＲＦチェーンを使うことができる。
【００２６】
ＬＴＥバンド間ＣＡにおいて、各々が２０ＭＨｚまでの、異なるバンドに属する最高５つまでのＤＬキャリヤおよび５つまでのＵＬキャリヤをユーザ装置１０は集めることができる。異なるバンドに属している追加のキャリヤさえ将来のリリースにおいて導入できる。少なくとも、リリース１０においては、異なるバンドに属する２つのＤＬキャリヤ及び１つのＵＬキャリヤについては、ＵＥの必要条件は存在している。２つのＵＬのバンド間ＣＡのための必要条件はリリース１１において導入されつつある。一般にバンド間ＣＡのために、異なる周波数帯域に属し得る各ＣＣのために、ユーザ装置１０は独立したＲＦチェーンを持っている。
【００２７】
マルチＲＡＴマルチキャリヤの概念
異なる技術のキャリヤの間でキャリヤアグリゲーションを使うことは「マルチＲＡＴキャリヤアグリゲーション」または「マルチＲＡＴマルチキャリヤシステム」または単に「インターＲＡＴキャリヤアグリゲーション」とも称される。例えば、ＷＣＤＭＡとＬＴＥからのキャリヤを集めることができる。別の例はＬＴＥとＣＤＭＡ２０００キャリヤのアグリゲーションである。明晰さのために、ここに説明されるのと同じ技術の中のキャリヤアグリゲーションは'ＲＡＴ内'または単に'シングルＲＡＴ'キャリヤアグリゲーションとされててもよい。インターＲＡＴＣＡにおいて、システムの１つは主システムとして、別のひとつまたは残りのひとつは副システムまたは補助システムとして設定することができる。主システムは、無線基地局１２'及びユーザ装置１０などのネットワークの間で基本のシグナリングと設定（コンフィギュレーション）情報を搬送してもよい。
【００２８】
マルチポイントキャリヤアグリゲーション
ＣＡ内のＣＣは共同で同じサイトまたは基地局に置かれてもよいし、そうされなくてもよい。例えば、ＣＣは異なる位置で（例えば位置していない基地局（ＢＳ）またはＢＳ、およびリモート無線ヘッド（ＲＲＨ）またはリモート無線ユニット（ＲＲＵ）から）生じてもよい（すなわち送信されるか、あるいは受信されてもよい）。結合されたＣＡとマルチポイント通信の有名な例は、分散アンテナシステム（ＤＡＳ）、ＲＲＨ、ＲＲＵ、協調マルチポイント（ＣｏＭＰ）送信、マルチポイント送信または受信などである。本実施形態はまたマルチポイントキャリヤアグリゲーションシステムに適用される。
【００２９】
本実施形態の開発している一部分として、ひとつの問題が最初に認識され、議論されるであろう。ＣＡ能力のないユーザ装置などのレガシーなユーザ装置が存在しているレガシーシングルキャリヤシステムにおいて、オートノマスギャップまたは自律的測定用ギャップは、ターゲットセルのシステム情報（ＳＩ）を読むために、レガシーユーザ装置により、レガシーユーザ装置がデータを受信する唯一のキャリヤであるサービングキャリヤ周波数上で生成される。背景技術で説明したように、従来のマルチキャリヤシステムでは、レガシーユーザ装置がターゲットセルのＳＩを読むことを要求される場合に、オートノマスギャップは主コンポーネントキャリヤ（ＰＣＣ）またはＰＣｅｌｌの上でユーザ装置によって生成される。ユーザ装置１０がＣＡ能力を持ち、複数の受信機チェーン（例えばバンド間ＣＡ）を持っていても、オートノマスギャップはＰＣＣの上で生成される。この場合に、ＰＣＣとＳＣＣは違うバンドで、例えばＰＣＣとＳＣＣはバンドＡとバンドＢとでそれぞれ別個のチェーンを用いて動作する。例えば従来技術では、レガシーユーザ装置がＳＣＣの上でターゲットセルのＳＩを読んでも、オートノマスギャップはＰＣＣの上でいつも生成される。
【００３０】
これは、オートノマスギャップによるデータ中断がいつもＰＣｅｌｌに発生するであろうということを意味している。データ中断はＰＣＣの上のＰＣｅｌｌで、また、ＰＣＣに隣接するＳＣＣの上のＳＣｅｌｌ（ｓ）でも発生することがある。これは、隣接キャリヤが一般に同じ無線部分、例えば電力増幅器やＲＦフィルタを共有するためである。すなわち、一定の集められた帯域幅までは隣接するキャリヤに対する共通の無線チェーンがある。
【００３１】
しかし、オートノマスギャップがいつも生成される主キャリヤは、一般に副キャリヤの上のデータに比べてより重要なデータを含む可能性がある。例えばＰＣｅｌｌは、中断と遅延が最小化されるべきであるすべての重要なコントロールシグナリングを含む。さらに、主キャリヤと１つ以上の副キャリヤとは同じバンド中で隣接してもよい（たとえば４Ｃ−ＨＳＤＰＡのシナリオにおけるバンドＡ中の主キャリヤを含む３つのキャリヤとバンドＢ中のひとつのキャリヤ）のに対して、残りの副キャリヤは違うバンドに属するしてもよい（たとえばバンドＢ中のひとつのキャリヤ）。このようなシナリオにおいて、オートノマスギャップがバンドＡ上で設定される場合はデータ中断全体に関してより一層影響がある。これは、レガシーユーザ装置は３つのキャリヤすべてを受信するための１つの広帯域受信機を持つかもしれないからであり、ギャップによる結果として同一の帯域すなわちバンドＡ内の全隣接キャリヤ上の送信が中断される可能性があるからである。バンドＡ上のキャリヤが例えばボイスオーバーＩＰ（ＶＯＩＰ）などの遅延に影響を受けやすいデータを搬送する場合に、これは特に不適当である。
【００３２】
従来技術においては、レガシーユーザ装置が、すべての設定されたキャリヤの上で、それらが隣接している場合に、オートノマスギャップを生成する可能性があるというリスクもある。一定のＵＥの実装では、副バンドの上のギャップを生成さえできる。これはＰＣｅｌｌの上だけでなく１つ以上のＳＣｅｌｌｓの上のデータ中断を引き起こすであろう。それゆえ、レガシーユーザ装置がＳＩを読む場合に、そして特にインターＲＡＴＳＩのために、データの損失全体はかなり大きくなるであろう。インターＲＡＴセルのためのＳＩ読み取り遅延はかなり長い（例えばインターＲＡＴ  ＵＴＲＡＮセルのために１−２秒）。
【００３３】
ＣＡ能力を持たないユーザ装置はまた、一定のタイプの測定（例えばインターフリークエンシ測定またはインターＲＡＴ測定またはその両方）を実行するために複数の無線受信機を持つことがある。このことは、インターフリークエンシ測定またはインターＲＡＴ測定またはその両方を実行するための測定用ギャップ（すなわちＬＴＥにおける正常な測定用ギャップ、またはＨＳＰＡにおける圧縮されたモードパターン）の使用を妨げる。しかし、従来技術では、ＳＩ読み取りのためのオートノマスギャップはサービングキャリヤ周波数の上で生成されることしかできない。これはサービングキャリヤの上のデータの中断を起こす。
【００３４】
本実施形態によると、無線通信ネットワークの中のセル１１と関連しているＳＩを取得するための方法が開示される。本実施形態は、ユーザ装置１０が例えばターゲットの周波数内セル、インターフリークエンシセルまたはインターＲＡＴセルのＳＩを読むためにオートノマスギャップを生成するダウンリンクキャリヤ（ＤＬキャリヤ周波数とも呼ばれる）を明示的に指定するための方法を提供する。
【００３５】
図２はフローチャートと信号方式の結合された概略図である。上記の実施形態は以下でより詳細な記述の中で説明されるであろう。
【００３６】
アクション２０１．
いくつかの実施形態によると、ユーザ装置１０は、ターゲットセルのＳＩを取得する際に、その能力または能力の情報を、キャリヤ周波数固有の自律的測定用ギャップを生成することが可能なネットワークノード１２、１２'，１５に報告する。キャリヤ固有のオートノマスギャップ能力は、ユーザ装置１０が、サービングキャリヤまたはサービング周波数帯域だけではなく、任意のキャリヤまたは周波数帯域のセルのＳＩを読む場合に、これらのオートノマスギャップを生成できることを意味している。従って、ユーザ装置１０は、セルのシステム情報の取得のため、測定用ギャップ能力、または複数のダウンリンクキャリヤの中から任意のダウンリンクキャリヤにオートノマスギャップを生成する能力のインジケータを送信してもよい。能力または能力についての情報はまた、よりいっそう広範囲にわたるかもしれない。例えばユーザ装置１０は、それが、同時に異なるセルのＳＩを読むために異なるキャリヤまたはバンドの上でオートノマスギャップを生成することが可能であることを示すことができる。例えば、ネットワークノード１２、１２'、１５ によって要求されたならば、ユーザ装置１０（例えば、バンドＡとバンドＢとを仮定したインターバンドＣＡをサポートしている）は、周波数内セルのＳＩの読み取りのためバンドＡ上で、かつインターフリークエンシセルのＳＩの読み取りのためバンドＢ上で、オートノマスギャップを生成する。これは２つのセルのＳＩ読み取りのより速い取得を可にする。さらに、この（高度である）能力は、ユーザ装置１０がオートノマスギャップを異なるキャリヤまたはバンドの上に分散することを可能にする。このことは、１つのキャリヤの上におけるデータの中断をより少なくする。従来技術では、すべてのギャップはＰＣｅｌｌ（すなわちバンドＡ）上で生じ、それはＰＣｅｌｌまたは在圏セル上で深刻な中断を導くであろう。
【００３７】
能力は各「ＳＩ読み取りのタイプ」について別々に報告されてもよいか、ＳＩ読み取りのすべてまたはグループに対して適用可能であってもよい。「ＳＩ読み取りのタイプ」は周波数内セル、インターフリークエンシセル、またはインターＲＡＴセルの読み取りＳＩを意味してもよい。キャリヤ固有のオートノマスギャップを使っているインターＲＡＴＳＩ読み取りのためのＲＡＴがまた示されてもよい。在圏セルがＥ−ＵＴＲＡである場合に、例えばユーザ装置１０はＵＴＲＡＮとＣＤＭＡ２０００のためのインターＲＡＴ読み取りをサポートすてもよい。
【００３８】
能力はまたＲＡＴに特有であってもよい。例えば或るＵＥは、キャリヤ固有のオートノマスギャップを生成することによって、それが周波数内セルのＳＩとインターフリークエンシＵＴＲＡ  ＦＤＤセルのＳＩを読むことが可能であることを示すことができる。
【００３９】
この能力を受信するネットワークノード１２、１２'、１５は、任意の在圏無線ネットワークノードであるか、コアネットワークノードであるか、またはポジショニングノードであってもよい。
【００４０】
上記の任意のネットワークノードへの能力のシグナリングは、ＲＲＣ、ＬＴＥポジショニングプロトコル（ＬＰＰ）などの任意の適切なプロトコルを用いて行える。
【００４１】
ユーザ装置１０は、ネットワークノード１２、１２'、１５からいかなる明示的な要求も受け取らずに先を見越した（プロアクティブな）報告を行うことで、または、ネットワークノード１２、１２'、１５からなんらかの明示的な要求を受信したときに報告を行うことで、またはその両方で、出来事を報告するためのその能力を報告することができる。
【００４２】
先を見越した報告の場合に、ユーザ装置１０は初期のセットアップまたは呼のセットアップの間（例えばＲＲＣ接続を設立時や、例えばハンドオーバ、リダイレクションを伴うＲＲＣ再設定などのセル変更の間、または定期的な報告のときの少なくともいずれか）にその能力を報告できる。
【００４３】
アクション２０２．
本実施形態によると、（ターゲット）セル１１のＳＩを取得するようにユーザ装置１０に要求することができるネットワークノード１２、１２'、１５は、ＳＩを読む時にユーザ装置１０がオートノマスギャップを生成すべきダウンリンクキャリヤ、キャリヤ周波数、または周波数帯域を決定する。ネットワークノード１２、１２'、１５はまた、ダウンリンクキャリヤに加えて、ユーザ装置１０がＳＩを読むときにオートノマスギャップを生成すべきセルを決定してもよい。セルは、一定の周波数帯域に属する一定のキャリヤ周波数上で動作する。マルチセル環境において、いくつかのセルはひとつのキャリヤ上で動作する。ＴＤＤにおいて、ダウンリンクキャリヤとアップリンクキャリヤは同じである。しかし、ＦＤＤでは、ダウンリンクキャリヤとアップリンクキャリヤとは異なる。セルは少なくとも２つのパラメータによって識別される。セルＩＤおよびセルが動作するダウンリンクキャリヤ周波数である。これは、使用可能な物理セルＩＤ（ＰＣＩ）が、例えばＬＴＥでは５０４に制限され、それゆえＰＣＩは一般に異なるキャリヤ周波数で再利用されるためである。
【００４４】
受信した能力についての能力情報が使用可能で、ユーザ装置１０がターゲットセルのＳＩを読むときにオートノマスギャップを生成すべきダウンリンクキャリヤおよびセルを選択する際にネットワークノードがさらに追加の基準を使うことがあるのであれば、ネットワークノード１２、１２'、１５は、上で説明された、少なくとも受信した能力についての能力情報を使うことができる。選択されたダウンリンクキャリヤは、さまざまな異なるタイプのＳＩの読み取り（すなわち周波数内、インターフリークエンシ、またはインターＲＡＴなど）ごとに異なってもよい。
【００４５】
本実施形態は主な関連したネットワークの実装である。しかしながら適切な基準に基づいて、ネットワークノード１２、１２'、１５は、ユーザ装置１０に、指示したキャリヤ（すなわちネットワークノード１２により選択された）上で、要求されたセルのＳＩを読むためにオートノマスギャップの生成を要求することができる。
【００４６】
アクション２０３．
ネットワークノード１２、１２'、１５はそれから、選択されたダウンリンクキャリヤを示しているか指定している指示を送信する。従って、ユーザ装置１０は、ネットワークノード１２、１２'、１５から、ユーザ装置１０が少なくとも１つのセルのＳＩを取得するためのオートノマスギャップを生成すべきダウンリンクキャリヤと関連した情報を受信する。ユーザ装置１０は、さらに、オートノマスギャップが生成される、指示されたダウンリンクキャリヤでセル情報（例えばセルＩＤ、ＣＧＩなど）を受信してもよい。
【００４７】
ネットワークノード１２、１２'、１５は、ターゲットセルのＳＩを読むために特定のダウンリンクキャリヤにオートノマスギャップを生成するようにユーザ装置１０を設定できる。この指示は、キャリヤ周波数番号（例えばＨＳＰＡにおけるＵＴＲＡ絶対無線周波数チャネル番号（ＵＡＲＦＮＣ）またはＬＴＥにおけるＥ−ＵＴＲＡ絶対無線周波数チャネル番号（ＥＡＲＦＣＮ））および／またはバンドインジケータまたはすべての他の関連周波数情報で送ることができる。ネットワークノード１２、１２'、１５により送信された指示はまた、ユーザ装置１０によりオートノマスギャップが生成される必要がある指示されたキャリヤにセルのセルＩＤ（例えばＰＣＩ、ＣＧＩなど）を含むことができる。周波数番号はＤＬキャリヤまたはＵＬキャリヤまたはその両方のそれと一致してもよい。
【００４８】
その指示はまた、例えば２つの周波数帯域（例えばバンドＡ及びバンドＢ）上のキャリヤのインターバンドＣＡを持つユーザ装置１０に対して、ユーザ装置１０がオートノマスギャップを生成すべきである周波数帯域のみに関して表現されてもよく、ユーザ装置１０はバンドＢ上のギャップを設定するよう要求され得る。それから、指示された帯域内の特定のダウンリンクキャリヤの上でオートノマスギャップを生成すべきユーザ装置１０次第である。その代わりに、指示された帯域の中の周波数はまた、所定の規則、例えばバンドの中の第１の周波数に基づいて決められてもよい。
【００４９】
その指示はまたマルチキャリヤの場合に特にセルＩＤに関して送られてもよい。例えば、ネットワークノード１２、１２'、１５は、ユーザ装置１０が、ＳＣｅｌｌの上だけのオートノマスギャップを生成することになっていることを指示することができる。別の例において、複数のＳＣｅｌｌがある場合に、ユーザ装置１０は任意のＳＣｅｌｌへオートノマスギャップを生成することが許されてもよい。後者の場合、ユーザ装置１０はまた、それがＳＩを読むためのギャップを生成するＳＣｅｌｌのネットワークノード１２、１２'、１５に戻して指示することができる。
【００５０】
別の可能性は、ネットワークノード１２、１２'、１５がユーザ装置１０に、ターゲットセルのＳＩを読むときに周波数固有のオートノマスギャップがユーザ装置１０により使われるかどうかを指示することができる、ということである。この指示は、例を用いて説明されるように、ターゲットセルのＳＩを読むためのユーザ装置１０によるオートノマスギャップの使用の活性化または非活動化を可能とすする。例えば、特定のダウンリンクキャリヤのためのオートノマスギャップをユーザ装置１０が使用する必要がない場合、ユーザ装置１０は、サービングキャリヤ／主キャリヤの上で、または複数のキャリヤまたは帯域（例えばＰＣＣ及びＳＣＣ）上でも、オートノマスギャップを生成してよい。しかし、キャリヤ／周波数固有のオートノマスギャップを使用する必要がある場合には、ユーザ装置１０は、ネットワークノード１２、１２'、１５によって指示されるか、所定の規則に基づいて、決められる特定のダウンリンクキャリヤの上だけでオートノマスギャップを生成することを許される。
【００５１】
その指示は、複数のセルのＳＩをユーザ装置１０が読む必要がある場合に、それぞれのターゲットセルのＳＩ読み取りに関して別々にネットワークノード１２、１２'、１５によりユーザ装置１０へ送信できる。指示されたダウンリンクキャリヤと関連づけられたオートノマスギャップは、特定タイプのセルのＳＩ読み取りにリンクでき、それは周波数内、インターフリークエンシ、インターＲＡＴの少なくともいずれかである。その指示はすべてのタイプのＳＩ読み取りのために適用可能であてもよい。
【００５２】
ネットワークノード１２、１２'、１５は、その指示とともに例えばＳＩ読み取りのための要求を提供するために、ＲＲＣシグナリングまたはすべての他の適当なプロトコルを使うことができる。しかし、例えばレイヤ２またはＭＡＣ層のシグナリングの他の方法を、またユーザ装置１０にこの指示を提供するために使うことができる。
【００５３】
アクション２０４．
ユーザ装置１０は受信した指示または情報を解釈する。受信した情報に含まれているならば、受信した指示から決定されるように、少なくとも１つのターゲットセルのＳＩを取得するために、ユーザ装置１０はそれから、指示されたダウンリンクキャリヤの上および例えば指示されたセルの上のオートノマスギャップを生成する。
【００５４】
従って、指示またはすべての関連する周波数／バンド情報またはその両方をネットワークノード１２から受信すると、ユーザ装置１０は指示されたダウンリンクキャリヤの上のオートノマスギャップを生成し、例えばネットワークノード１２によって要求されるように、ターゲットセルのＳＩを読む。例えば、ユーザ装置１０がバンド間ＣＡ（バンドＡとバンドＢ）をサポートするだけならば、ユーザ装置１０は、これが在圏ネットワークノード１２によって指示されるならば、ターゲットセルのＳＩを読むためにバンドＢの上だけのオートノマスギャップを生成してもよい。
【００５５】
ユーザ装置１０は、以下に示すように、ＤＬキャリヤを選択するための所定の規則またはネットワーク構成を所定の規則の組み合わせに基づいて、使用するＤＬキャリヤを選択し、オートノマスギャップを生成できる。
【００５６】
アクション２０５．
ユーザ装置１０はそれから、ネットワークノード１２によって要求されたように、ＳＩの読み出し、例えば少なくとも１つのセルの少なくとも取得したＳＩ情報を含む少なくとも１回の測定を報告する（すなわちオートノマスギャップの間に）。その結果、ＳＩの読み出しを実行した後に、オートノマスギャップを使って、ユーザ装置１０は取得したＳＩをネットワークノード１２（例えば在圏ノードまたは前に説明したように測定するよう要求されたノード）に送信する。
【００５７】
本実施形態はまた、マルチキャリヤ／ＣＡ能力を持たない可能性がある（すなわち１つのＤＬキャリヤだけでデータを受信する）ものの、測定用ギャップのない１つ以上のインターフリークエンシキャリヤまたはインターＲＡＴキャリヤ上で測定を実行する方法を持つユーザ装置に適用することができる。そのようなＵＥは一般に追加の受信機チェーンを持っていて、従って、同時に複数のダウンリンクキャリヤの上の信号を受信することができる。ユーザ装置１０を、１つのダウンリンクキャリヤの上だけのデータを受信することが可能であるけれども、また測定用ギャップなしで別のダウンリンクキャリヤの上で測定することができるＵＥと考える。例えば、Ｆ１はサービングキャリヤであり、Ｆ２はギャップなしで測定できるけれども、ユーザ装置１０はＦ２ではいかなるデータも受信できない。それゆえ、この例におけるシグナリング方法は、ネットワークノード１２、１２'、１５により、Ｆ２の上でターゲットセルのＳＩの読み取りのためにユーザ装置１０がオートノマスギャップを生成することの指定を可能としてもよい（すなわち、測定のためにだけ使われる追加の無線チェーンを使って）。このように、いかなるデータの損失もサービングキャリヤＦ１の上にはないであろう。前述したように、従来技術においては、オートノマスギャップはＦ１の上でいつも設定され、データの損失につながる。
【００５８】
ターゲットセルの能力情報のＳＩを読むために特定のダウンリンクキャリヤ（そしてまたセル）上でオートノマスギャップを生成するようユーザ装置１０を設定する方法はまた、少なくとも試験装置（ＴＥ）ノードを有するテストシステム（別名システムシミュレータ（ＳＳ））に実装できる。このテストシステムは、ユーザ装置１０が、ＳＩ読み取りのために周波数固有のオートノマスギャップを生成することが可能であることを確認するテストのために、ユーザ装置１０にこの情報を信号で伝えてもよい。例えばテストは、シグナリング／プロトコル／手順テストケースまたは性能／ＲＲＭテストケースであり、ユーザ装置１０がこの機能をサポートすることを検証する。これは、テストシステム（例えばＴＥまたはＳＳノード）がテスト手順を実装し、この機能と関連したＵＥシグナリング及び性能が検証されることを保証する。すなわち、ＵＥ能力情報を受信し、ＳＩ読み取りのために周波数固有のオートノマスギャップを生成するようにＵＥを設定し、ＳＩ読み出しの結果を受信し、その結果を分析し解釈する。
【００５９】
ユーザ装置１０は、ユーザ装置１０にサービスしている無線基地局１２'または別のノードにＳＩ読み取りを信号で伝えるか、報告することができる。
【００６０】
ユーザ装置１０における方法はさらに以下を含んでもよい。
−ユーザ装置１０が、少なくとも周波数内、インターフリークエンシまたはインターＲＡＴターゲットセルのＳＩを読むために特定のダウンリンクキャリヤ周波数に対してオートノマスギャップをサポートすることが可能であることを、ネットワークノード（例えば無線基地局１２'）に対して指示するシグナリング手段。
−先を見越してまたはネットワークノードから明示的な要求に基づいて、上記の能力をネットワークノードに報告する報告手段。
【００６１】
ユーザ装置１０における方法はさらに以下を含んでもよい。
−ユーザ装置１０が、少なくとも周波数内、インターフリークエンシ、またはインターＲＡＴターゲットセルのＳＩを読むためにオートノマスギャップを生成するであろうキャリヤ周波数およびセル（指示されていれば）を指示する表示を、ネットワークノード１２から受信すること。
−受信した指示に基づいて、指示されているならば指示されたキャリヤ周波数とセルの上のオートノマスギャップを生成し、生成したオートノマスギャップでＳＩを読み、結果をネットワークノード、例えばｅＮＢに報告する報告すること。
【００６２】
ユーザ装置１０における方法はさらに以下を含んでもよい。
−前決定されたか、所定の規則または受信した指示または受信した指示と所定の規則との組み合わせのうちの１つに基づいてオートノマスギャップキャリヤ周波数を生成すること。
【００６３】
ネットワークノード１２、１２'、１５における方法は、ユーザ装置１０が、少なくとも周波数内、インターフリークエンシ、またはインターＲＡＴターゲットセルのＳＩを読むためにオートノマスギャップを生成するであろうキャリヤ周波数およびセル（指示されたなら）
を指示するシグナリング方法を有してもよい。
【００６４】
従って、いくつかの例において、ユーザ装置１０は、能力、または能力についての情報を、ＤＬキャリヤでの通信の中でオートノマスギャップを生成するために無線基地局１２'などのネットワークノードに報告してもよい（そのオートノマスギャップは、システム情報を検索するために使うことができる）。この能力はさらに、ユーザ装置が、周波数固有のキャリヤの上でオートノマスギャップを生成することが可能であることを示す。ユーザ装置１０はそれから、ユーザ装置１０が、セル１１のシステム情報の読み取りのためにオートノマスギャップを生成するダウンリンクキャリヤまたはキャリヤ周波数を示す指示をネットワークノード１２、１５から受信できる。ユーザ装置１０はそれからオートノマスギャップを生成し、セル１１のＳＩを読むことができる。この目的はネットワークノードにおける方法によって達成されてもよい。いくつかの例において、ネットワークノードはユーザ装置から報告された能力を受信できる。さらに、ネットワークノードはそれから、ユーザ装置が測定用ギャップを生成することになっているキャリヤを選択あるいは決定する。このいくつかの実施形態によると、ネットワークノードは、セル１１と関連しているシステム情報を取得するようユーザ装置１０に要求する。ネットワークノードは指示をユーザ装置１０に送信する。その指示は、ユーザ装置１０がセル１１と関連しているシステム情報を取得するためにオートノマスギャップを生成するダウンリンクキャリヤを指定する。
【００６５】
このいくつかの実施形態は以下の利点と効果とをもたらしている：第１のネットワークノード１２または他のネットワークノードなどのネットワークノードに、セルのＳＩを読むためにユーザ装置１０がオートノマスギャップを生成するキャリヤ周波数または周波数帯域またはその両方を指定するための柔軟性を提供する；在圏セル／主セルの上のデータ中断／損失につながる、オートノマスギャップが常にサービング／主キャリヤの上で生成される状況を防止すること；キャリヤアグリゲーションシステム中の在圏セル／主セルおよび副セルすべてでデータ中断／損失につながる、オートノマスギャップがすべてのキャリヤの上ですなわちサービング／主キャリヤと副キャリヤすべての上で生成される状況を防止すること；複数のＳＩを読み取る場合に、ネットワークノード１２、１２'、１５が、異なるキャリヤにオートノマスギャップを生成するようユーザ装置１０を設定することを可能とすること。これにより、オートノマスギャップのすべてのセットが従来技術においてと同じキャリヤの上で生成される場合と比べて、スループットおよび、特に、ピークデータレートの深刻な低下が小さくなる；ユーザ装置１０を、重要な情報（例えば制御シングナリング、重要な／時間的なクリチカルなデータ、位置決め測定、または緊急呼出しと関連した情報など）を含むキャリヤにオートノマスギャップを設定することから避けさせる、
以下に、ＳＩ読み取りのためのＵＥのオートノマスギャップの説明が開示されるであろう。
【００６６】
ＳＩ読み取りのメカニズム
ＨＳＰＡとＬＴＥにおいて、在圏セル、例えば第１のセル１１（実際には無線基地局１２'）は、ターゲットセルのシステム情報を取得するようユーザ装置１０に要求することができる。より具体的に、ＳＩは、ターゲットセルの、セルを一意に識別するセルグローバル識別子（ＣＧＩ）を取得するためにユーザ装置１０によって読まれる。
【００６７】
ユーザ装置１０は、ＲＲＣシグナリング経由で在圏ネットワークノードから、例えばＬＴＥの場合にはＨＳＰＡまたはｅＮｏｄｅＢにおける無線ネットワークコントローラ（ＲＮＣ）から、明示的な要求を受け取ったときに、ターゲットセル（例えば周波数内セル、インターフリークエンシセル、またはインターＲＡＴセル）のＳＩを読む。取得されたＳＩはそれから、第１のセル１１または無線基地局１２'に報告されてもよい。そのシグナリングメッセージは適切なＨＳＰＡとＬＴＥ仕様書の中で定義される。
【００６８】
ターゲットセルのＣＧＩを含んでいるＳＩを取得するために、後で説明されるように、ユーザ装置は、マスタ情報ブロック（ＭＩＢ）と関連するシステム情報ブロック（ＳＩＢ）とを含むＳＩの少なくとも一部を読み取る必要がある。用語ＳＩ読み取り／デコーディング／取得、ＣＧＩ／発展型ＣＧＩ（ＥＣＧＩ）読み取り／デコーディング／取得、閉鎖的加入者グループ（ＣＳＧ）ＳＩ読み取り／デコーディング／取得は、区別なく使われるけれども同じ、または同様な意味を持っている。
【００６９】
ＣＧＩの取得のためのＳＩの読み取りは、ユーザ装置１０によって自律的に生成される測定用ギャップの間に実行される。従って、ギャップの数とそれらのサイズは、電波条件、読まれるＳＩのタイプなどの他の要因だけでなくＵＥの実装に依存する。用語「自律的」は、ネットワークが、ギャップが生成されるときを正確に知らないことを意味している。ギャップは、少なくともダウンリンク内で生成され、この場合ユーザ装置１０がデータを受信することができない。しかし、オートノマスギャップはまた、特にターゲットのインターフリークエンシセルまたはインターＲＡＴセルのＳＩを取得するときに、アップリンクの中で生成されてもよい。この場合、ユーザ装置１０は、データを受信も送信もできない。これに対して、通常の周期的な測定用ギャップ（別名圧縮モードパターン、送信ギャップなど）が、例えばＲＳＲＰ／ＲＳＲＱなどのモビリティ測定を実行するために使われる。それらは、明示的な設定をユーザ装置１０に送信することによってネットワークにより設定される。それゆえ、この場合には、ネットワークは正確に各ギャップの時間的な位置を知っている。
【００７０】
ユーザ装置１０がターゲットセルのＳＩの読み取りと並行してデータを受信または送信またはその両方をしないために、オートノマスギャップは必要である。その理由は、同時操作は、複雑性、メモリ要件、および電力消費を増すことである。さらに、レガシーシングルキャリヤＵＥ（すなわちＣＡ能力を持たない）は一般に、１つのキャリヤ周波数、例えばＷＣＤＭＡの場合の５ＭＨｚ、またはＬＴＥの場合の２０ＭＨｚ（すなわちＬＴＥの１つのキャリヤは上限２０ＭＨｚ）だけでデータを受信するために１つの受信機を持っている。これは、少なくともインターフリークエンシの、そしてインターＲＡＴのＳＩを取得するために、そのようなＵＥにはオートノマスギャップが必要であることを意味している。
【００７１】
ＳＩ読み取りはまた、ＣＧＩ、例えばＣＳＧまたはハイブリッドＣＳＧインジケータなどを越えて付加情報を取得するために使われてもよい。
【００７２】
ＬＴＥにおいて、ユーザ装置１０は、ターゲットセルが進化型地上無線アクセスネットワーク（Ｅ−ＵＴＲＡＮ）の周波数内またはインターフリークエンシセルである場合、ターゲットセルであるＥ−ＵＴＲＡＮセル（それは、周波数分割多重（ＦＤＤ）または時分割多重（ＴＤＤ）であってもよい）のＭＩＢとＳＩＢ１を読み、そのＣＧＩ（別名Ｅ−ＵＴＲＡＮＣＧＩ）を取得する。
【００７３】
ＬＴＥにおいて、ＭＩＢは４０ミリ秒の周期性で周期的に送信されて、繰返しは、４０ミリ秒以内に行われる。ＭＩＢの最初の送信は、システムフレーム番号（ＳＦＮ）  ｍｏｄ  ４＝０となる無線フレームのサブフレーム＃０にスケジューリングされ、繰返しは、その他のすべての無線フレームのサブフレーム＃０にスケジューリングされる。ＬＴＥにおいて、ＭＩＢはセル帯域幅、ＳＦＮなどの基礎情報を含んでいる。
【００７４】
他のＳＩＢメッセージと同様にＬＴＥのＳＩＢ１はＤＬ共有チャンネル（ＳＣＨ）上で送信される。ＳＩＢ１は８０ミリ秒の周期性によって送信されて、繰返しは、８０ミリ秒以内に行われる。システム情報ブロックタイプ１の最初の送信は、ＳＦＮ  ｍｏｄ  ８＝０の無線フレームのサブフレーム＃５にスケジューリングされ、繰返しはＳＦＮ  ｍｏｄ  ２＝０の他のすべての無線フレームのサブフレーム＃５にスケジューリングされる。ＬＴＥのＳＩＢ１はまた、変化したかどうかをＳＩメッセージに示すことができる。ユーザ装置１０はＳＩの来る変化についてページングメッセージによって知らされ、システム情報が次の修正期間の境界で変わるであろうことを知るであろう。修正期間の境界は、ＳＦＮ  ｍｏｄ  ｍ＝０のＳＦＮ値により定まり、ここでｍは修正期間を含む無線フレームの数である。修正期間はシステム情報によって設定される。ＳＩＢ１はＣＧＩ、ＣＳＧ識別、周波数帯域インジケータなどの情報を含んでいる。
【００７５】
ＨＳＰＡにおいて、ターゲットセルがＵＴＲＡＮの周波数内セルまたはインターフリークエンシセルであるとき、そのＣＧＩ（別名隣人セルＳＩ）を取得するために、ユーザ装置１０はターゲットセルであるＵＴＲＡＮセルのＭＩＢとＳＩＢ３とを読む。ＭＩＢはシステムフレーム番号（ＳＦＮ）などの基礎情報を提供し、ＳＩＢ３はターゲットセルのＣＧＩを含んでいる。
【００７６】
オートノマスギャップの間のインターＲＡＴ  ＳＩ取得のための手順は、インターＲＡＴ  ＵＴＲＡＮ、インターＲＡＴ  Ｅ−ＵＴＲＡＮ、インターＲＡＴ  ＧＥＭ／ＧＳＭ  ＥＤＧＥ無線アクセスネットワーク（ＧＥＲＡＮ）、インターＲＡＴ  ＣＤＭＡ２０００などのためにまた指定される。これらは下に説明される：
インターＲＡＴ  ＵＴＲＡＮの場合、Ｅ−ＵＴＲＡＮセルによってサービスされたユーザ装置１０は、オートノマスギャップの間に、ＵＴＲＡＮセルシステム情報、例えばＵＴＲＡセルＣＧＩを取得するために、ターゲットＵＴＲＡＮセルのＭＩＢとＳＩＢ３を読む。
【００７７】
インターＲＡＴＥ−ＵＴＲＡＮの場合、ＵＴＲＡＮセルによってサービスされたユーザ装置１０は、オートノマスギャップの間に、Ｅ−ＵＴＲＡＮセルシステム情報、例えばＥ−ＵＴＲＡセルＣＧＩを取得するためにターゲットＥ−ＵＴＲＡＮセル（ＦＤＤまたはＴＤＤであり得る）のＭＩＢとＳＩＢ１を読む。
【００７８】
インターＲＡＴ  ＣＤＭＡ２０００場合、Ｅ−ＵＴＲＡＮセルによってサービスされたユーザ装置１０は、ＣＤＭ２０００セルシステム情報たとえばＣＤＭＡ２０００セルＣＧＩを取得するために、ターゲットＣＤＭ２０００セルの関連するブロードキャスト情報に読む。ＣＤＭＡ２０００は一般用語である。ターゲットのＣＤＭＡ２０００セルは従ってＣＤＭＡ２０００  １ｘ無線送信技術（ＲＴＴ）または高レートパケットデータ（ＨＲＰＤ）システムに属していてもよい。
【００７９】
ＳＩ読み取りシナリオ
ＳＩが取得されてもよいターゲットセルは周波数内セル、インターフリークエンシセル、またはインターＲＡＴセル（例えばＵＴＲＡＮ、ＧＥＲＡＮ、ＣＤＭＡ２０００、またはＨＲＰＤ）であってもよい。在圏セルが、ターゲットセルのＣＧＩを報告するようＵＥに要求することができる少なくともいくつかのシナリオがある。最初にＣＳＧセルの確認、そして自己組織化ネットワーク（ＳＯＮ）自動隣接セル関係（ＡＮＲ）の確立、そしてさらに駆動テスト最小化（ＭＤＴ）。
【００８０】
ＣＳＧインバウンドモビリティのためのＣＳＧセルの確認
モビリティをサポートするために、ユーザ装置１０は多くの隣接セルを識別し、それらの物理セル識別子（ＰＣＩ）を在圏ネットワークノード（例えばＥ−ＵＴＲＡＮにおける在圏ｅＮｏｄｅＢ）に報告してもよい。ユーザ装置１０はまた、Ｅ−ＵＴＲＡＮまたはＣＰＩＣＨにおけるＲＳＲＰまたはＲＳＲＱまたはその両方、ＵＴＲＡＮにおけるＲＳＣＰまたはＣＰＩＣＨＥｃ／Ｎｏまたはその両方、またはさらにＧＥＲＡＮキャリヤＲＳＳＩ、またはさらにＣＤＭＡ２０００／ＨＲＰＤについてのパイロット強度などの隣接セル測定値を報告するよう要求されることがある。報告されたＵＥ測定値に呼応して、在圏ネットワークノードはハンドオーバ（ＨＯ）コマンドをユーザ装置１０に送信する。
【００８１】
例えばフェムトセルや、フェムト閉鎖的加入者グループのような限定的な小セル、ｐｉｃｏセルなどの、高密度配置のシナリオにおけるより小さなセルサイズのため、ＰＣＩはより頻繁に再利用される。許可のないホーム基地局（例えばＣＳＧセル）へのＨＯコマンドを防止するため、在圏ネットワークノードはＵＥに、ターゲットセルのＣＧＩをデコードし、報告するよう要求することができる。これはホームインバウンドモビリティとも呼ばれる。ＣＧＩはネットワークの中で一意であり、そのネットワークがマクロＢＳとホームＢＳか区別することを可能とし、あるいは報告されたセルがＣＳＧまたはハイブリッドＣＳＧに属していることを固有に識別することを可能とする。
【００８２】
ターゲットセルのＣＧＩ報告のための手順と関連づけられた要件は、Ｅ−ＵＴＲＡＮにおいて規定されている。ＣＧＩデコーディングの１つの重要な特徴は、それが、ユーザ装置１０自身によって生成されたオートノマスギャップの間にユーザ装置１０によって実行されることである。通常のＵＥの実装では、在圏セルからデータを受信し、ＣＧＩを含むターゲットセルのシステム情報を取得することが同時にできないという事実から、オートノマスギャップの間にターゲットセルＣＧＩを取得する理由は生じる。さらに、キャリヤ周波数を切り換えするためにさえ、インターフリークエンシターゲットセルまたはインターＲＡＴターゲットセルのＣＧＩの取得はユーザ装置１０を必要としている。それゆえ、オートノマスギャップの使用は、ターゲットセルのＣＧＩを取得するためには必然的である。オートノマスギャップはアップリンクとダウンリンクの両方の中で生成される。
【００８３】
ＳＯＮ  ＡＮＲの設定
Ｅ−ＵＴＲＡＮにおけるＳＯＮ機能は、オペレータが自動的にネットワークパラメータとネットワークノードとを計画し、調整することを可能にする。従来の方法は手動調整に基づいており、それはばく大な時間、リソースを消費し、かなりの関与を作業者に要求する。ネットワークの複雑性、多くのシステムパラメータ、ＲＡＴ技術などのため、必要である時はいつでもネットワークの中で自己組織化のテストを行うための信頼できる計画を持つことは非常に魅力的である。
【００８４】
オペレータは、セルまたは複数のセルを有する１つの基地局全体を追加または削除することができる。特に新しいセルはネットワーク展開の早い段階でより頻繁に追加される。後の方の段階において、オペレータは、より多くのキャリヤまたはより多くの基地局を同じキャリヤの上に追加することによって、まだネットワークをアップグレードすることができる。オペレータはまた別の技術と関連したセルを追加することができる。これはＡＮＲ設定と呼ばれて、ＳＯＮの一部である。隣接関係の正しい設定を保証するために、新しいターゲットセルのＣＧＩを報告するよう、在圏セルはユーザ装置１０に要求し、そのＰＣＩは識別されて上述の在圏セルに報告される。ターゲットセルのシステム情報を読むために、ＣＧＩ取得はユーザ装置１０を必要としていて、従ってオートノマスギャップの間にユーザ装置１０によって実行される。ホームインバウンドモビリティの場合のように、ＡＮＲ目的のＣＧＩ取得はまた、在圏セルからデータの中断を引き起こす。
【００８５】
駆動テストの最小化
ＭＤＴ機能はＬＴＥとＨＳＰＡリリース１０において導入されている。ＭＤＴ機能は、ネットワーク計画と最適化のために情報を集めている場合に、オペレータに労力を減らすための方法を提供する。ＭＤＴ機能は、ユーザ装置１０が、様々なタイプの測定値、イベントおよびサービスエリア関連の情報を記録するか、または取得することを必要としている。記録されたか、あるいは収集された測定値または関連情報はそれからネットワークに送信される。これは、オペレータがいわゆる駆動テストおよび手作業での記録により同様の情報を収集する必要がある伝統的なアプローチと対照的である。ＭＤＴはＴＳ３７．３２０バージョン１０．２．０中で説明される。低い活動状態、例えばＵＴＲＡ／Ｅ−ＵＴＲＡにおけるアイドル状態やＵＴＲＡにおけるセルＰＣＨ状態などにおいてだけでなく、接続されている間にも、ユーザ装置１０は測定値を収集できる。
【００８６】
ユーザ装置１０は、また、他の測定値（例えばＲＳＲＰ、ＲＳＲＱ、ＣＰＩＣＨ測定値、無線リンク障害レポート、ブロードキャストチャネル（ＢＣＨ）障害、ページングチャネル障害率など）とともにターゲットセルのＣＧＩを報告するよう構成されてもよい。接続モードにおいては、既存の手順は、ＭＤＴのためにターゲットセルのＣＧＩを取得するために使われる。アイドルモードにおいては、ユーザ装置１０は、ＣＧＩとともにセル測定値を記録し、記録された測定値を適切な機会（例えば、ユーザ装置１０が接続モードに行く時に）にネットワークに報告するよう構成されてもよい。通常のＣＧＩ報告を特徴づけている１つの重要な特徴は、ＭＤＴの場合に、ターゲットセルの取得されたＣＧＩが、ＭＤＴ機能性、例えば論理的または物理的なノードであり得るＭＤＴノードによって取得されることである。ＭＤＴノードはネットワーク計画およびネットワークの最適化のために取得したＣＧＩを使うことができる。
【００８７】
ＣＳＧインバウンドモビリティまたはＳＯＮ  ＡＮＲの場合のように、ＭＤＴ目的のＣＧＩはオートノマスギャップの間にまた取得される。
【００８８】
ＳＩ読み取り要件
・Ｅ−ＵＴＲＡＮにおけるＳＩ読み取り要件は指定されるか、以下のシナリオの少なくともいずれかために指定されている：周波数内ＥＣＧＩ報告；インターフリークエンシＥＣＧＩ報告；またはインターＲＡＴ  ＵＴＲＡＮ  ＣＧＩ報告。
【００８９】
ユーザ装置１０は、ターゲット周波数内セルから、そのＳＩＮＲが少なくとも−６ｄＢ以上ならば、約１５０ミリ秒以内にＥ−ＵＴＲＡ周波数内ＥＣＧＩを報告するよう要求される。サービングキャリヤ周波数の上でターゲットセルのＥＣＧＩを取得する間に、ＵＥは、ターゲットセルのＳＩを読み取るためにダウンリンク及びアップリンクにオートノマスギャップを生成することができる。継続的な割当ての下で、ユーザ装置１０は、ユーザ装置１０が必要以上のギャップを生成しないことを保証するために一定数のＡＣＫ／ＮＡＣＫをアップリンクの上に送信する要がある。
【００９０】
ユーザ装置１０は、ターゲットインターフリークエンシセルから、その信号対干渉プラス雑音比（ＳＩＮＲ）が少なくとも−４ｄＢ以上であるならば、約１５０ミリ秒以内にもＥ−ＵＴＲＡインターフリークエンシＥＣＧＩを報告するよう要求される。サービングキャリヤ周波数上でのターゲットセルのＥＣＧＩの取得の間に、ユーザ装置１０は、ターゲットセルのＳＩを読み取るためにダウンリンク及びアップリンクにオートノマスギャップを生成することができる。これによりユーザ装置１０は、在圏セルの中でのダウンリンク受信及びアップリンク送信を中断する。継続的な割当ての下で、ユーザ装置１０は、ユーザ装置１０が必要以上のギャップを生成しないことを保証するために一定数のＡＣＫ／ＮＡＣＫをアップリンクの上に送信する必要がある。
【００９１】
ＵＴＲＡＮにおいて、ＳＩＢ３（ＣＧＩを含む）の周期性に依存して、ターゲットＵＴＲＡセルのＣＧＩ取得は非常に（例えば１秒よりも）長い。さらに、ターゲットセルのＣＧＩを取得するためにユーザ装置１０によって生成されたオートノマスギャップのため、データ送信及び在圏セルからの受信の中断の総計は６００ミリ秒か、より長い可能性がある。
【００９２】
インターＲＡＴ  ＵＴＲＡＮの場合に、ターゲットＵＴＲＡセルのＣＧＩ取得は最高２秒かかる可能性がある。データ送信および在圏セルからの受信の中断の総計は１秒か、より長くに及ぶ可能性がある。
【００９３】
ポジショニング
ターゲットデバイス（ユーザ装置１０、モバイル中継器、ＰＤＡなど）の位置を測定するためのいくつかの位置決め方法がある。この方法は以下の通りである：衛星ベースの方法であり、これらの方法は、ＵＥの位置を決定するために、アシスト型全地球航法衛星システム（Ａ−ＧＮＳＳ）（例えばアシスト型全地球測位システム（Ａ−ＧＰＳ））の測定値を用いる；観測到着時間差（ＯＴＤＯＡ）、これらは例えばＬＴＥ内でＵＥの位置を決定するために、ＵＥの基準信号時間差（ＲＳＴＤ）の測定値を用いる；アップリンク到着時間差（ＵＴＤＯＡ）、これらはＵＥの位置を決定するために、位置測定ユニット（ＬＭＵ）で測定された測定値を用いる；拡張セルＩＤ（Ｅ−ＣＩＤ）、これらはＵＥの位置を決定するために、ＵＥのＲｘ−Ｔｘ時間差、ＢＳのＲｘ−Ｔｘ時間差、ＬＴＥのＰ／ＲＳＲＱ、ＨＳＰＡのＣＰＩＣＨ測定値、到来角（ＡｏＡ）などのうちのひとつ以上を用いる；ＵＥの位置を決定するために、複数の方法からの測定値を用いるハイブリッド法。
【００９４】
ＬＴＥでは、ポジショニングノード（別名Ｅ−ＳＭＬＣまたはロケーションサーバ）は、１回以上の位置測定を実行するよう、ユーザ装置１０、ｅＮｏｄｅＢ、またはＬＭＵを設定する。位置決め測定値は、ＵＥ位置を決定するためにユーザ装置１０またはポジショニングノードによって使われる。ポジショニングノードは、例えばＬＰＰおよびＬＴＥポジショニングプロトコル付録（ＬＰＰａ）を使っているＬＴＥにおけるユーザ装置１０と無線基地局１２'と通信する。
【００９５】
この実施形態は、ユーザ装置１０がターゲットセルのシステム情報（ＳＩ）を取得することを可能ならしめる測定を実行するために、ネットワークノード１２、１２'、１５が、ユーザ装置１０がオートノマスギャップを生成するダウンリンクキャリヤまたはキャリヤ周波数の選択すること及びユーザ装置１０に対して指示することを可能とする。ＳＩ情報は、周波数内セルまたはインターフリークエンシセルまたはインターＲＡＴセルの少なくともセルグローバル識別子（ＣＧＩ別名ＥＣＧＩ）を含む。
【００９６】
最終的には、開示された実施形態によると、ユーザ装置１０は、その能力（別名キャリヤ周波数固有自律的測定用ギャップ能力）の情報を、ネットワークノード１２に対して信号で伝えてもよい。ネットワークノードはその番になれば、ユーザ装置１０がオートノマスギャップを生成してもよいダウンリンクキャリヤを選択することができる。ユーザ装置１０がギャップを生成するキャリヤまたはバンドの選択は、ネットワークノード１２、１２'、１５によって、または所定の規則によって、またはそれらの組み合わせによって決定されてよい。例えば、ユーザ装置１０がバンドＡおよびバンドＢについてのバンド間ＣＡをサポートすると考えよ。バンドＡ上のＰＣｅｌｌおよびバンドＢ上のＳＣｅｌｌが在圏ネットワークノード１２によって設定される。ＰＣＩがユーザ装置１０に提供される或るセルのＳＩを読むよう、ネットワークノード１２、１２'、１５はユーザ装置１０に要求する。従来技術においては、ＵＥは、ターゲットセルのＳＩを読み取るために、常にバンドＡのキャリヤにオートノマスギャップを生成するであろう。すなわちデータデータの中断は常にＰＣｅｌｌ上で発生する。いくつかの従来技術の実装においては、ＵＥは、ＳＣｅｌｌの上でさえデータ中断を起こしているバンドＢ上でオートノマスギャップを生成することさえできる。しかし、ここで開示された方法に従って、ユーザ装置１０は、バンドＡまたはバンドＢのいずれか一方でオートノマスギャップを生成することができる。例えばネットワークノード１２、１２'、１５は、ＳＩを読むときにバンドＢ上でオートノマスギャップを生成するよう、そのような機能を持つユーザ装置に要求することができる。これはＳＣｅｌｌの上だけのデータ中断を起こすであろう。従って、ユーザ装置１０は指示を受信し、受信した指示に基づいて、指示されたダウンリンクキャリヤまたはキャリヤ周波数上でオートノマスギャップを生成することができる。ユーザ装置１０が、ユーザ装置１０がオートノマスギャップを生成するダウンリンクキャリヤを指示している所定の規則を設定した可能性があることは注目されるべきである。ユーザ装置１０は、ネットワーク構成と所定の規則の組み合わせを使って、オートノマスギャップを生成するためにダウンリンクキャリヤを決定してもよい。いくつかの実施形態において、ネットワークノード１２、１２'、１５は、受信した能力情報または選択されたキャリヤ／バンド情報またはその両方を他のネットワークノードに転送する。本実施形態はまた、別のタスクのために受信した情報を使用するネットワークノードと関連している。
【００９７】
オートノマスギャップを生成するためにキャリヤを選択するための所定の規則
ここのいくつかの実施形態の特徴によると、ＳＩ読み取りのためにユーザ装置１０によってオートノマスギャップが生成されるはずのダウンリンクキャリヤは、例えば標準で規定された所定の規則から決定される。これは、ネットワークノード１２、１２'、１５が、この情報をユーザ装置１０に対してシグナリングする必要がないこと、すなわち、オートノマスギャップが生成されるダウンリンクキャリヤの指定またはいかなる指示もする必要がないことを意味している。また別の可能性は、ダウンリンクキャリヤ情報が明示的にシグナリングされない場合にはユーザ装置１０は１つ以上の所定の規則を使うことができ、さもなければユーザ装置１０は、指示されたキャリヤにオートノマスギャップを生成するために信号で伝えられたダウンリンクキャリヤを使用することができるというものである。
【００９８】
さらに、ユーザ装置１０が、ダウンリンクキャリヤと例えばオートノマスギャップが生成されるセルとを決定する場合、ユーザ装置１０はまたこの情報を、ネットワークノード１２、１２'、１５または別のネットワークノード、例えばＢＳ、ＬＴＥにおけるＲＮＣ／ノードＢまたはｅＮＢ、リレー、ドナーノードなどに対して示すことができる。この情報は、ＳＩの読み取り開始に先がけて、または取得されたＳＩとともに（すなわち測定結果／報告とともに）ユーザ装置１０によって送信されてもよい。
【００９９】
その代わりに、ネットワークノード１２、１２'、１５はまた、ユーザ装置１０がダウンリンクキャリヤを自身で選択あるいは選定する場合に、どのダウンリンクキャリヤでオートノマスギャップがユーザ装置１０により生成されるかを自律的に検出できる。ＰＣｅｌｌ上で時間間隔（Ｔ１−Ｔ２）以内にユーザ装置１０からのフィードバック応答が全くないならば、例えば肯定応答（ＡＣＫ）または非肯定応答（ナック）を含んでいるハイブリッド自動再送要求（ＨＡＲＱ）フィードバック、またはチャンネル品質指標（ＣＱＩ）応答がそれぞれＴ１およびＴ２以内にないならば、ネットワークノード１２、１２'、１５はこれを決定できる。
【０１００】
ネットワーク構成と所定規則との組み合わせに基づく決定
いくつかの実施形態によると、オートノマスギャップが生成されるダウンリンクキャリヤは、ネットワーク構成（すなわち、上述した明示的なシグナリング）と所定の規則との組み合わせに基づいて決定される。例えば上で説明されたネットワーク構成原則のどれでも、ユーザ装置１０が、ＳＩを読むためにオートノマスギャップを生成することが可能な、見込みのある候補ダウンリンクキャリヤを示すために使うことができる。事前設定情報は、ＳＩ読み取りを要求することに先がけて、またはＳＩ読み取りの要求とともに、ネットワークノード１２、１２'１５によってユーザ装置１０に送信されてもよい。例えば、ネットワークノード１２、１２'、１５は、ＳＩを読むときにユーザ装置１０が複数のキャリヤ、例えばＦ１とＦ３でオートノマスギャップを生成してもよいことを、ユーザ装置１０に事前設定してもよい。これはまた、例えば周波数内セルのために、特定のタイプのＳＩ読み取りにリンクされてもよい。事前設定に加えて、ユーザ装置１０は、適当なダウンリンクキャリヤにオートノマスギャップを実際に生成するときに、以下で説明する所定の規則のどれでも使うことができる。例えば、ユーザ装置１０は、ネットワークノード１２によって要求される場合、Ｆ２を選択して一定のセルのＳＩの読み取りのためにオートノマスギャップを生成することができる。
【０１０１】
さらに、ユーザ装置１０は、オートノマスギャップを生成したダウンリンクキャリヤおよび、例えばさらにセル、セルＩＤ、ＣＧＩ等に関する情報を、第２の指示または選択指示として明示的にシグナリングすることができる。たとえば、ユーザ装置１０は、ＨＳＰＡにおけるＲＮＣ／ノードＢまたはＬＴＥにおけるｅＮＢに対して、要求されたセルのＳＩ読み取りのためにＦ２上の一定のセルの上でオートノマスギャップを生成したこと、あるいは生成するであろうことを示す。
【０１０２】
他のネットワークノードへのシグナリング情報
いくつかの実施形態において、ネットワークノード１２、１２'、１５（例えば在圏無線ネットワークノード１２'）が、さまざまな異なるタイプのＳＩを読むためにユーザ装置１０がオートノマスギャップを生成するダウンリンクキャリヤについての情報を持っていることはまた理解されるべきである。ネットワークノード１２、１２'、１５はまた、ユーザ装置１０によってオートノマスギャップが生成されることになっている指示されたダウンリンクキャリヤにセルに関連した情報（例えばＰＣＩ、ＣＧＩなど）を持つことができる。それはまたユーザ装置１０の能力情報を持っている。いくつかの実施形態によると、ネットワークノード１２、１２'、１５は、上述した、ＳＩの読み取りのためにユーザ装置１０により測定用ギャップが生成されるダウンリンクキャリヤ及びセルと関連した情報を他のネットワークノードにシグナリングできる。ネットワークノード１２、１２'、１５はまた、取得されたＳＩと、オートノマスギャップが生成されるところの関連づけられたダウンリンクキャリヤ及びセルとに関連する情報をシグナリングしてもよい。ネットワークノード１２、１２'、１５は、またさらに、ユーザ装置１０の能力に関する取得した情報（上述した）を、他のネットワークノードに追加的にシグナリングしてもよい。
【０１０３】
第２のネットワークノード１５やそれと同様のものなどの他のネットワークノードは、近隣無線ネットワークノードであってよく、例えば制御ＲＮＣ、近隣ＲＮＣ、ノードＢ、ｅＮｏｄｅＢ、ＢＳ、中継器、ドナーノードなど；任意の設定ノード、例えば位置決め測定などを設定しているＥ−ＳＭＬＣなどのポジショニングノード；コアネットワークノード、例えばＭＭＥ、アクセスゲートウェイなど、および／または、例えばＭＤＴノード、ＳＯＮノード、ネットワーク監視および企画ノード、Ｏ＆Ｍノード、オペレーション支援サブシステム（ＯＳＳ）ノードなどのすべての集中化したネットワークノードである。
【０１０４】
例えば、ＬＴＥにおいて、ｅＮｏｄｅＢであるネットワークノード１２、１２'、１５は、この情報をＸ２インタフェースで他のｅＮｏｄｅＢに信号で伝えることができる。同様に、ｅＮｏｄｅＢはＬＰＰａプロトコルで、ポジショニングノード、例えばＬＴＥにおけるＥ−ＳＭＬＣへ、この情報を信号で伝えることができる。別の例は、リレーノードが、例えばマルチホップリレーシステムにおける別のリレーノードへのこの情報をシグナリングするものであるが、またシングルホップリレーシステムあるいはドナーＢＳにも適用し、例えばＬＴＥのリレーノードがこの情報をそのドナーｅＮｏｄｅＢにシグナリングする。同様に、ＬＴＥにおけるｅＮｏｄｅＢが上述した情報をＳ１でＭＭＥにシグナリングすることができる。ＨＳＰＡにおいては、ネットワークノード１２、１２'、１５がＲＮＣである場合に、ＲＮＣがＩｕｒインタフェースで別のＲＮＣにこの情報をシグナリングすることができる。ＲＮＣはＩｕｂインタフェースでノードＢにこの情報をシグナリングすることさえできる。
【０１０５】
他のネットワークノードにおける、異なるタスクのために受信した情報を用いる方法
他のネットワークノード（Ｏ＆Ｍノード、ＭＭＥ、ポジショニングノード、第２の無線基地局など）が、取得された情報、すなわち能力についての情報およびオートノマスギャップのための指示されたダウンリンクキャリヤ、および例えばギャップが生成されるセル、取得したＳＩなどを、以下のタスクのうちの少なくとも１つのために使用できる。
【０１０６】
第２のネットワークノード１５が第２の無線基地局などの無線ネットワークノードである場合、その無線ネットワークノードは、ハンドオーバまたはセル変更の後にＳＩ読み取りを実行するようユーザ装置１０に要求するための適切なダウンリンクキャリヤを設定するため、取得した情報を使うことができる。無線ネットワークノードはまた、あるダウンリンクキャリヤでオートノマスギャップが生成されるかどうかに応じて、適切な物理層パラメータと設定（コンフィギュレーション、例えば変調及びコード体系、ＨＡＲＱパラメータなど）を選択することができる。例えば、オートノマスギャップがより頻繁に生成されるならば、無線ネットワークノードはより堅牢でないスキーム、例えばより堅牢でないコード体系を使うことができる。さもなければ、無線ネットワークノードは、よりよい物理層性能（すなわちエラーからの着実な回復）を可能にするためにより堅牢なパラメータを使うことができる。
【０１０７】
第２のネットワークノード１５がポジショニングノードを有している場合には、ポジショニングノードは、しばしばユーザ装置１０がオートノマスギャップを生成するキャリヤでの重要な位置決め測定、例えばすなわち緊急通話を避けるために、取得した情報を用いることができる。ポジショニングノードはまた、位置決めセッション／測定と関連した設定パラメータを選択するために取得した情報を使うことができる（例えば、位置決め測定を補助するためにユーザ装置１０に送信した補助データ）。
【０１０８】
第２のネットワークノード１５はネットワークパフォーマンスを監視することができる。集中化されたネットワークノードまたは、すべての無線ネットワークノードは、ネットワークパフォーマンス及びネットワーク観察をモニタリングするために、取得した情報（例えば統計）を使うことができる。
【０１０９】
第２のネットワークノード１５は、取得した情報を、ネットワーク計画および展開を実行することができる。集中化されたネットワークノードまたはすべての無線ネットワークノードは、計画、規模決定、ネットワークノードの展開、キャリヤアグリゲーションなどの別の機能の展開または修正のための置の識別、キャリヤ周波数、帯域、帯域幅の選択などのネットワークパラメータの構成及び設定のために使用することができる。
【０１１０】
オートノマスギャップが生成される最も適当なダウンリンクキャリヤを決定するユーザ装置１０の機能に加え、基準の例を、図３を参照して機器にリストする。図３は、ユーザ装置の周波数帯域であるバンドＡおよびバンドＢの周波数を開示する。バンドＡは周波数Ｆ１とＦ２とを含み、バンドＢは周波数Ｆ３を含む。周波数は軸［ｆ］に沿って定義される。
【０１１１】
第１の基準は「１つのバンドの中の最も少いキャリヤ数」であり得る。ネットワークノード１２、１２'、１５は、隣接するＤＬキャリヤの数が最も少いダウンリンクキャリヤを選択する。例えば、図３中で、バンドＢ上のＦ３は、オートノマスギャップを起動させるために選択できる。その理由は、Ｆ１が選ばれるならば、測定用ギャップの発生の間に、バンドＡ中のすべての隣接キャリヤ、すなわちＦ１およびＦ２上でデータ中断が生じるであろうから、ということである。
【０１１２】
それに加えて、またはそれに代えて、別の基準は「最小のデータ中断／損失」であってもよい。ネットワークノード１２、１２'、１５は、オートノマスギャップを起動させるためにデータ損失または中断が最も少そうなダウンリンクキャリヤを選択することができる。例えばネットワークは、送信が散発的であるか、あるいは低トラフィックのダウンリンクキャリヤを、オートノマスギャップの生成のために選択することができる。また、アップリンクマルチキャリヤ送信がある場合には、このネットワークノード１２、１２'、１５はまた、ダウンリンクキャリヤを選択するときにアップリンクのトラフィックを考慮してもよい。これは、オートノマスギャップが活性化されたＤＬキャリヤに関連付けられたＵＬキャリヤ上でのデータの中断／損失をオートノマスギャップが引き起こしているためであり、すなわち、オートノマスギャップがＤＬキャリヤと関連ＵＬキャリヤの両方で生成されるためである。
【０１１３】
それに加えて、またはそれに代えて、別の基準は「サービスのタイプ／時間的なクリティカルさ」であってもよい。ネットワークノード１２、１２'、１５は、データが時間的によりクリティカルでないダウンリンクキャリヤをオートノマスギャップの生成のために選択できる。例えば、もしＦ１でのデータ送信が主に実時間サービスを含み、かつＦ２でのデータ送信が主に実時間でないサービスを含むならば、ネットワークノード１２、１２'、１５は、オートノマスギャップの生成のためにＦ２を選択するであろう。これは、オートノマスギャップによって伝送遅延がより長くなってもよいためである。
【０１１４】
それに加えて、またはそれに代えて、別の基準は、「オートノマスギャップをキャリヤに分散すること」であってもよい。この基準によるとネットワークノード１２、１２'、１５は、異なるセルにおいてＳＩを読み取るためのオートノマスギャップを生成するために異なるダウンリンクキャリヤを選択することができる。複数のセルからのＳＩ読み取りが同時に必要とされている場合に、これは特に有益である。ネットワークノード１２、１２'、１５はまた、さまざまな異なるタイプのＳＩ読み取りのために異なるキャリヤを選択することができる。例えば、ネットワークノード１２、１２'、１５は、周波数内セル上でのＳＩ読み取りのためにＰＣＣまたはＳＣＣのどちらかを選択することができるけれども、インターフリークエンシまたはインターＲＡＴのＳＩ読み取りのためには副キャリヤを選択する。その理由は、周波数内のＳＩ読み取りは、必要なギャップがより短いかあるいはより少ないため、引き起こすデータ中断がより少ないからである。例えば、図３中で、ＬＴＥマルチキャリヤシステムを仮定し、ネットワークノード１２、１２'、１５は、ＬＴＥ周波数内セルのＳＩを取得するためのオートノマスギャップをユーザ装置１０が生成するためにＦ１を選択し、インターＲＡＴ  ＵＴＲＡＮセルのＳＩを取得するためのオートノマスギャップをユーザ装置１０が生成するためにＦ３を選択する。従来技術においては、ユーザ装置はいつも、少なくともＦ１の上で、またはＦ１、Ｆ２、およびＦ３すべての上でさえギャップを生成するであろう。これは、ダウンリンクキャリヤにわたるオートノマスギャップの分散を許す開示された方法に比べて、Ｆ１上のデータのより多くの損失を引き起こす可能性がある。
【０１１５】
それに加えて、またはそれに代えて、別の基準は「オートノマスギャップの長さまたは密度」であってもよい。キャリヤを決定する別の基準はオートノマスギャップの長さまたは密度またはその両方に基づく。例えば、オートノマスギャップがより高密度（例えば密接に置かれ）または各ギャップがしきい値より大きいまたはその両方であるか、またはギャップの全体の持続期間がしきい値より長いなら、ネットワークノード１２、１２'、１５は、第２またはそれに続く周波数帯域の副キャリヤ中の非サービングキャリヤまたは副キャリヤを選択すると決定できる。これにより、主キャリヤまたはサービングキャリヤ上のデータまたはピークスループットの損失は最小化されるはずである。
【０１１６】
図４は、ユーザ装置の周波数帯域（バンドＡおよびバンドＢ）の周波数を開示している。バンドＡは周波数Ｆ１、Ｆ２、およびＦ３を含み、バンドＢは周波数Ｆ４とＦ５を含む。周波数は軸［ｆ］に沿って定義される。図５はユーザ装置の周波数帯域（バンドＡ、バンドＢ、およびバンドＣ）の周波数を開示している。バンドＡは周波数Ｆ１、Ｆ２、およびＦ３を含み、バンドＢは周波数Ｆ４とＦ５を含み、バンドＣは周波数Ｆ６を含んでいる。周波数は軸［ｆ］に沿って定義される。
【０１１７】
図４と図５を参照して、いくつかの所定の規則の例を説明する。上述したように、ユーザ装置１０は、どのダウンリンクキャリヤにおいてオートノマスギャップを生成するかを指定している所定の規則を有している。その所定の規則は、例えば以下を提示している。−主キャリヤ上では：キャリヤの数がすべてのバンドにおいて同じならば、オートノマスギャップは主キャリヤに生成される。別の可能性は、すべてのダウンリンクキャリヤが同じバンドの中にあるならばまたはそれらがみな隣接しているならば、オートノマスギャップは主キャリヤに生成されることである。−ほとんど孤立したキャリヤ上では：この所定の規則によると、ユーザ装置１０は、他のダウンリンクキャリヤに隣接していないか、あるいは最も少ない隣接キャリヤを持つダウンリンクキャリヤ上でオートノマスギャップを活性化させる。例えば、図４と図５において、ユーザ装置１０は図４中のバンドＢと図５中のバンドＣの上でオートノマスギャップを生成する。−複数のオートノマスギャップを生成するための別個のキャリヤ：オートノマスギャップの複数のセットが使われる場合、例えば周波数内セルの上でのＳＩ読み取りのために１セット、インターフリークエンシセルの上でのＳＩ読み取りのために別のセットを使用する場合、交互に入れ替える規則が使われてもよい。例えばオートノマスギャップの各セットは異なるダウンリンクキャリヤの上で生成されてもよい。例えば図４中で、ＣＡが可能なユーザ装置１０は、周波数内セルおよびインターＲＡＴセルのＳＩをそれぞれ取得するため、バンドＡ上で１セットの、およびバンドＢ上で別のセットのオートノマスギャップを生成することができる；オートノマスギャップの長さおよび／または密度に基づいて、この所定の規則に従い、高密度のオートノマスギャップ、すなわちより頻度が高く、かつ／またはより大きなギャップを有するオートノマスギャップは副ダウンリンクキャリヤ、好ましくは主キャリヤを含まないバンドに設定される。上記の所定の規則のどのような組み合わせでもまた使われてもよい。
【０１１８】
セル（例えば第１のセル１１または第２のセル１４）と関連しているシステム情報を、いくつかの一般的な実施形態に従う無線通信ネットワークの中で取得するためのユーザ装置１０において動作する方法を、図６に示すフローチャートを参照して説明する。この動作は、以下に述べられた順序で行われる必要はないけれども、任意の適切な順序ででも行われてよい。いくつかの実施形態の中で実行される動作は、点線のボックスで記載されている。セル１１、１４は、ネットワークノード１２、１２'、１５によってサービスされる。ユーザ装置１０は、同時に複数のダウンリンクキャリヤで信号を受信することが可能である。
【０１１９】
アクション６０１．ユーザ装置１０は、セルのシステム情報の取得のために複数のダウンリンクキャリヤのうちから任意のダウンリンクキャリヤにオートノマスギャップを生成する能力をネットワークノード１２、１２'、１５に対して報告する。
【０１２０】
アクション６０２．ユーザ装置１０は、ネットワークノード１２、１２'、１５からの指示、および／またはセル１１、１４のＩＤを受信する。この指示は、オートノマスギャップを生成するために使用するダウンリンクキャリヤを指定する。
【０１２１】
アクション６０３．いくつかの実施形態において、受信した指示および／または所定の規則に基づいて、セル１１、１４のシステム情報を取得するためにユーザ装置１０がオートノマスギャップを生成するためのダウンリンクキャリヤを選択する。
【０１２２】
アクション６０４．ユーザ装置１０はダウンリンクキャリヤにオートノマスギャップを生成する。オートノマスギャップを生成するために用いられるダウンリンクキャリヤは、ネットワークノード１２、１２'、１５から受信した指示、および／または所定の規則に基づく。この指示または所定の規則はダウンリンクキャリヤを指定する。この指示または所定の規則はさらに、ダウンリンクキャリヤが主セルまたは在圏セルに関連しないことを定義してもよい。いくつかの実施形態によると、所定の規則は、ダウンリンクキャリヤが以下のうちの少なくともひとつであるべきこと定義する：主キャリヤ；副キャリヤ；孤立キャリヤ；システム情報のタイプに基づいたキャリヤ；オートノマスギャップのギャップ長および／または密度に基づいたキャリヤ。この指示は、様々な異なるタイプのシステム情報を取得するためにオートノマスギャップを生成するための様々な異なる特定のダウンリンクキャリヤを指示することができる。
【０１２３】
アクション６０５．ユーザ装置１０はセル１１、１４のシステム情報を、生成されたオートノマスギャップを使っているダウンリンクキャリヤで取得する。
【０１２４】
アクション６０６．ユーザ装置１０は、選択されたダウンリンクキャリヤを示している選択指示または第２の指示をネットワークノード１２、１２'、 １５に送信する。
【０１２５】
アクション６０７．ユーザ装置１０は、取得されたシステム情報をネットワークノード１２、１２'、１５に報告する。このセル１１、１４のシステム情報は次の１つ以上を含むことができる：セルグローバル識別子（ＣＧＩ）；閉鎖的加入者グループ（ＣＳＧ）インジケータ；ハイブリッドＣＳＧインジケータ；マスタ情報ブロック（ＭＩＢ）、および１つ以上のシステム情報ブロック（ＳＩＢ）。
【０１２６】
図７は、無線通信ネットワークの中の第１のセル１１または第２のセル１４などのセルと関連しているシステム情報を取得するユーザ装置１０を示しているブロック図である。セルはネットワークノード１２、１２'、１５によってサービスされ、ユーザ装置１０は、同時に複数のダウンリンクキャリヤ上の信号を受信するよう構成される。
【０１２７】
ユーザ装置１０は、ダウンリンクキャリヤにオートノマスギャップを生成するよう構成された生成回路７０１を含む。オートノマスギャップを生成するために使用するダウンリンクキャリヤは、ネットワークノード１２、１２'、１５から受信した指示、および／または所定の規則に基づく。この指示または所定の規則はダウンリンクキャリヤを指定する。ダウンリンクキャリヤが主セルまたは在圏セルに関連しないことを、この指示または所定の規則は定義してもよい。この所定の規則は、ダウンリンクキャリヤが以下のうちの少なくとも１つであるべきことを定義してもよい：主キャリヤ；副キャリヤ；孤立キャリヤ；システム情報タイプに基づいたキャリヤ；オートノマスギャップのギャップ長さまたは密度またはその両方に基づいたキャリヤ。いくつかの実施形態の中で、この指示は、さまざまな異なるタイプのシステム情報を取得するためにオートノマスギャップを生成するためのさまざざまな特定のダウンリンクキャリヤを示すことができる。
【０１２８】
ユーザ装置１０は、生成されたオートノマスギャップを使ってダウンリンクキャリヤ上でセルのシステム情報を取得するよう構成された取得回路７０２をさらに含んでもよい。
【０１２９】
ユーザ装置１０は、受信した指示および／または所定の規則に基づいて、セルのシステム情報を取得するためにオートノマスギャップを生成するためのダウンリンクキャリヤを選択するよう構成された選択回路７０３をさらに含んでもよい。
【０１３０】
ユーザ装置１０はさらに、ネットワークノード１２、１２'、１５に対して、選択されたダウンリンクキャリヤを示す選択指示（第２の指示とも称される）を送信するよう構成された送信機７０４をさらに含んでもよい。
【０１３１】
ユーザ装置１０は、ネットワークノード１２、１２'、１５から指示、および／またはセルＩＤを受信するよう構成された受信機７０５をさらに含んでもよい。
【０１３２】
ユーザ装置１０は、セルのシステム情報の取得のために複数のダウンリンクキャリヤのうちの任意のダウンリンクキャリヤにオートノマスギャップを生成する能力をネットワークノード１２、１２'、１５に報告するよう構成された報告回路７０６をさらに含んでもよい。報告回路７０６はさらに、取得したシステム情報をネットワークノード１２、１２'、１５に報告するよう構成されてもよい。セルのシステム情報は例えば次の鬱の少なくとも１つを含むことができる：セルグローバル識別子（ＣＧＩ）；閉鎖的加入者グループ（ＣＳＧ）インジケータ；ハイブリッドＣＳＧインジケータ；マスタ情報ブロック（ＭＩＢ）、および１つ以上のシステム情報ブロック（ＳＩＢ）。
【０１３３】
ユーザ装置１０は、本実施形態を実行するために処理回路７０７を含んでもよい。処理回路７０７は、シグナリング回路または測定用ギャップ能力をシグナリングするよう構成された報告回路７０６を有してもよい。処理回路７０７は、ネットワークノード１２からの、決定された／選択されたキャリヤ周波数または周波数帯域の指示を受信するよう構成された受信機７０５を有してもよい。処理回路７０７は、決定されたキャリヤまたは周波数帯域にギャップを生成し、またこのギャップの間にＳＩを検索するよう構成された実行回路または生成回路７０１をさらに含んでもよい。従って、ユーザ装置１０はキャリヤを中断し、ブロードキャストチャネル上の信号を測定することができる。図７に示されたユーザ装置１０中の処理回路７０７は、コンピュータプログラムコードとともに、本実施形態の機能および／または方法の動作を実行するよう構成される。上述したプログラムコードはまた、例えばユーザ装置１０にロードされたときに本実施形態を実行するためのコンピュータプログラムコードを担持するデータ担体という形で、コンピュータプログラム製品として提供できる。１つのそのような担体がＣＤＲＯＭディスクという形であってもよい。しかしそれはメモリスティックなどの他のデータ担体によっても実現可能である。さらに、コンピュータプログラムコードはサーバ上の純粋のプログラムコードとして提供されて、ユーザ装置１０にダウンロードされてもよい。
【０１３４】
ユーザ装置１０はメモリ７０８を有してもよい。メモリ７０８は１つ以上のメモリユニットを含み、ユーザ装置１０または同様のものにおいて実行されるときに、例えばこの方法を実行するための能力、ＳＩ、規則、アプリケーションなどのデータの例を記憶するために使用できる。
【０１３５】
図中で第１のネットワークノード１２と称される例えば無線基地局１２'または第２のネットワークノード１５で、いくつかの一般の実施形態に応じた無線通信ネットワーク中のセル１１、１４と関連しているシステム情報を取得するようユーザ装置１０に要求するための方法の動作が、いまから図８に示すフローチャートを参照して説明されるであろう。動作は、以下に説明された順序で行われる必要はないけれども、任意の適切なな順序で実行されてよい。セル１１、１４はネットワークノードによってサービスされる。ユーザ装置１０は、同時に複数のダウンリンクキャリヤから信号を受信することが可能である。いくつかの実施形態の中で実行された動作は点線のボックスによって記載されている。
【０１３６】
アクション８０１．ネットワークノード１２、１２'、１５は、セルのシステム情報の取得のために複数のダウンリンクキャリヤのうちから任意のダウンリンクキャリヤにオートノマスギャップを生成するためのユーザ装置１０の能力を報告するようユーザ装置１０に要求する。
【０１３７】
アクション８０２．いくつかの実施形態では、ネットワークノード１２、１２'、１５は、ユーザ装置１０から、セルのシステム情報の取得のために複数のダウンリンクキャリヤのうちから任意のダウンリンクキャリヤにオートノマスギャップを生成するためのユーザ装置１０の能力を示す能力表示を受信する。
【０１３８】
アクション８０３．ネットワークノード１２、１２'、１５は、ユーザ装置１０がシステム情報を取得するためにオートノマスギャップを生成すべきダウンリンクキャリヤを選択する。ネットワークノードは、受信した能力表示または受信した能力表示と追加の判定基準に基づいて、ダウンリンクキャリヤを選択してもよい。追加の基準は次の少なくとも１つを含んでもよい：隣接するキャリヤの数が最も少ないダウンリンクキャリヤ；オートノマスギャップにより結果として生じるデータ損失が最小のダウンリンクキャリヤ；時間的に最もクリティカルでないダウンリンクキャリヤ；オートノマスギャップのギャップ長またはギャップ密度またはその両方に基づくダウンリンクキャリヤ；オートノマスギャップが複数のセルのシステム情報の取得のために複数のキャリヤに分散されるかどうか。ネットワークノードは、受信した指示と所定の規則の組み合わせに基づいて、ダウンリンクキャリヤを選択することができる。
【０１３９】
アクション８０４．ネットワークノード１２、１２'、１５は指示をユーザ装置１０に送信する。この指示は、オートノマスギャップを生成するためにユーザ装置１０に対してセル１１、１４と関連しているシステム情報を取得するためのダウンリンクキャリヤを指定し、それにより、セル１１、１４と関連しているシステム情報を取得するようユーザ装置１０に要求する。いくつかの実施形態の中で、ネットワークノード１２、１２'、１５は、さまざまな異なるタイプのシステム情報を検索するためにさまざまな異なるキャリヤを選択し、ネットワークノード１２、１２'、１５は選択されたさまざまな異なるキャリヤの指示を送信する。例えばネットワークノードは、セルのシステム情報の読み取りのために測定用ギャップを生成するようにユーザ装置１０に対してコマンドを送信することができる。
【０１４０】
アクション８０５．ネットワークノード１２、１２'、１５は、ユーザ装置１０に対してオートノマスギャップを生成するためのダウンリンクキャリヤを指示するキャリヤ指示（第３の指示とも称される）を、第２のネットワークノード１５に送信することができる。ネットワークノードはさらに、セルのシステム情報の取得のために複数のダウンリンクキャリヤのうちから任意のダウンリンクキャリヤにオートノマスギャップを生成するユーザ装置１０の機能を示している能力表示を送信してもよい。
【０１４１】
また少なくとも試験装置（ＴＥ）ノード（別名システムシミュレータ（ＳＳ））を含むテストシステムにおいて、能力情報を受信する方法も実施できることに注意すべきである。テストシステムは、このＳＩ読み取りのための周波数固有のオートノマスギャップの機能／能力をユーザ装置１０がサポートすることを確認するテスト目的のためにこれを使うかもしれない。例えばこのテストは、シグナリング／プロトコル／手順テストケースまたはＵＥの能力を確認するための性能／ＲＲＭテストケースであってよい。
【０１４２】
図９は、無線通信ネットワークの中で、第１および／または第２のセル１１、１４などのセルと関連しているシステム情報を取得するようユーザ装置１０に対して要求する、無線基地局１２'、コアネットワークノード、ポジショニングノード、制御ノードなどのネットワークノード１２を示すブロック図である。ネットワークノード１２、１２'、１５は、セルにサービスするよう構成され、ユーザ装置１０は、同時に複数のダウンリンクキャリヤから信号を受信することが可能である。
【０１４３】
ネットワークノード１２、１２'、１５は、指示をユーザ装置１０に送信するよう構成された送信機９０１を含む。この指示は、セルと関連しているシステム情報を取得するためにユーザ装置１０に対してオートノマスギャップを生成するダウンリンクキャリヤを指定する。それにより、ネットワークノード１２、１２'、１５はユーザ装置１０に対してセルと関連しているシステム情報を取得するよう要求する。
【０１４４】
ネットワークノード１２、１２'、１５は、ユーザ装置１０が、システム情報を取得するためにオートノマスギャップを生成すべきダウンリンクキャリヤを選択するよう構成された選択回路９０２をさらに含んでもよい。いくつかの実施形態の中では、セレクティング回路９０２は、さまざまな異なるタイプのシステム情報を検索するためにさまざまな異なるキャリヤを選択するように設定され、送信機９０１は、選択されたさまざまな異なるキャリヤの指示を送信するよう構成される。
【０１４５】
ネットワークノード１２、１２'、１５は、ユーザ装置１０から、セルのシステム情報の取得のために複数のダウンリンクキャリヤのうちの任意のダウンリンクキャリにオートノマスギャップを生成するユーザ装置１０の能力を示している能力表示を受信するよう構成された受信機９０３をさらに含んでもよい。いくつかの実施形態の中では、選択回路９０２は、受信した能力表示または受信した能力表示と追加の判定基準とに基づいて、ダウンリンクキャリヤを選択するよう構成されてもよい。追加の判定基準は例えば次のうちの少なくとも１つを含んでもよい：隣接しているキャリヤの数が最も少ないダウンリンクキャリヤ；オートノマスギャップにより生じるデータ損失が最小のダウンリンクキャリヤ；時間的に最もクリティカルでないダウンリンクキャリヤ；オートノマスギャップのギャップ長またはギャップ密度またはその両方に基づくダウンリンクキャリヤ；複数のセルのシステム情報の取得のためにオートノマスギャップが複数のキャリヤに分散されるかどうか。
【０１４６】
ネットワークノード１２、１２'、１５は、セルのシステム情報の取得のために複数のダウンリンクキャリヤのうちの任意のダウンリンクキャリヤにオートノマスギャップを生成するユーザ装置１０の能力を報告するようユーザ装置１０に要求するよう構成された要求回路９０４をさらに含んでもよい。
【０１４７】
ネットワークノード１２、１２'、１５は、ユーザ装置１０に対してオートノマスギャップを生成するダウンリンクキャリヤを指示しているキャリヤ指示を、Ｏ＆Ｍノードなどの第２のネットワークノードに送信するよう構成された送信回路９０５をさらに含んでもよい。送信回路９０５は、さらにまたは代わりに、セルのシステム情報の取得のために複数のダウンリンクキャリヤのうちの任意のダウンリンクキャリヤにオートノマスギャップを生成するユーザ装置１０の能力を示している能力表示を送信するよう構成されてもよい。
【０１４８】
ネットワークノード１２、１２'、１５は、本実施形態を実行するよう構成された処理回路９０６を含んでもよい。処理回路９０６は、例えば受信回路、または、ユーザ装置１０または別のネットワークノードから測定用ギャップ能力を受信するよう構成された受信機９０３を有していてもよい。測定用ギャップ能力はネットワークノードに含まれるメモリ９０７に記憶されてもよい。処理回路９０６は、オートノマスギャップが生成されるべきキャリヤ周波数または周波数帯域を選択するよう構成された選択回路９０２を含んでもよい。この選択は所定の規則または同様のものに基づくことができる。処理回路９０６は、ダウンリンクキャリヤ、キャリヤ周波数、または周波数帯域の指示を送信し、その結果ユーザ装置１０がどのダウンリンクにオートノマスギャップを実行すべきであるかを示すよう構成された送信回路９０５および／または送信機９０１をさらに含んでもよい。さらに、処理回路９０６は、ユーザ装置１０から受信したＳＩを処理するよう構成されてもよい。処理回路９０６は要求回路９０４をさらに含んでもよい。
【０１４９】
図９に示されたネットワークノード１２、１２'、１５中の処理回路９０６は、コンピュータプログラムコードとともに、本実施形態の機能および／または方法の動作を実行するよう構成される。上述したプログラムコードはまた、例えばここにネットワークノード１２にロードされたときに本実施形態を実行するためのコンピュータプログラムコードを担持するデータ担体という形で、コンピュータプログラム製品として提供できる。そのような担体のひとつがＣＤＲＯＭディスクという形であってもよい。しかしそれはメモリスティックなどの他のデータ担体によっても実現可能である。さらに、コンピュータプログラムコードはサーバ上の純粋のプログラムコードとして提供されて、ユーザ装置１０にダウンロードされてもよい。
【０１５０】
メモリ９０７は１つ以上のメモリユニットを含み、ネットワークノード１２、１２'、１５、または同様のものにおいて実行されるときに、例えばこの方法を実行するために能力、ＳＩ、規則、アプリケーションなどのデータの例を記憶するために使用できる。
【０１５１】
選択指示または能力表示などのユーザ装置１０または第１のネットワークノードからの、ポジショニングノード、ＭＭＥ、Ｏ＆Ｍなどのオートノマスギャップ情報を処理するための、いくつかの一般の実施形態に応じた第２の無線基地局における動作の方法が、図１０に示したフローチャートを参照してこれから説明される。オートノマスギャップは無線通信ネットワークの中のセル１１、１４と関連しているシステム情報の取得のためにユーザ装置１０によって生成される。セル１１、１４は第１のネットワークノード１２によってサービスされ、ユーザ装置１０は、同時に複数のダウンリンクキャリヤから信号を受信することが可能である。
【０１５２】
アクション１００１．第２のネットワークノード１５は、ダウンリンクキャリヤでオートノマスギャップを生成するユーザ装置１０の機能の情報、例えば能力表示を、ユーザ装置１０または第１のネットワークノード１２から取得する。オートノマスギャップはシステム情報の取得のためである。それに加えてまたはその代わりに、第２のネットワークノード１５はさらに、セルのシステム情報の取得のためにユーザ装置１０がオートノマスギャップを生成すべきダウンリンクキャリヤを指定している情報、例えば選択指示を取得する。
【０１５３】
アクション１００２．ダウンリンクキャリヤを以下の１つ以上のために設定するように、第２のネットワークノード１５は能力および／またはダウンリンクキャリヤの情報を用いる：ハンドオーバまたはセル変更の後にシステム情報を取得するようユーザ装置１０に要求する；システム情報の取得のためにオートノマスギャップが或るダウンリンクキャリヤに生成されるかどうかに応じて１つ以上の物理層パラメータを設定する；キャリヤにオートノマスギャップが生成されるかどうかに応じてそのキャリヤ上でポジショニング測定と関連した設定パラメータを選択する；ネットワークパフォーマンスモニタリング；ネットワーク計画または展開；無線管理タスク。
【０１５４】
無線管理タスクは、ユーザ装置１０によってオートノマスギャップがより頻繁に生成されるダウンリンクキャリヤに依存して構成および一つ以上の物理層パラメータを選択することを含んでもよい。
【０１５５】
図１１は、ユーザ装置１０または第１のネットワークノード１２からのオートノマスギャップ情報を処理するいくつかの実施形態によるＯ＆Ｍノードまたは第２の無線基地局などの第２のネットワークノード１５を示すブロック図である。上述したように、オートノマスギャップは無線通信ネットワークの中のセルと関連しているシステム情報の取得のためにユーザ装置１０によって生成される。セルは第１のネットワークノード１２によってサービスされて、ユーザ装置１０は、同時に複数のダウンリンクキャリヤから信号を受信することが可能である。
【０１５６】
第２のネットワークノード１５は、ユーザ装置１０または第１のネットワークノード１２から、ダウンリンクキャリヤにオートノマスギャップを生成するために、ユーザ装置１０の能力の情報を取得するよう構成された取得回路１１０１を含む。オートノマスギャップはシステム情報の取得のためである。取得回路１１０１は、セルの取得システム情報のためにユーザ装置１０がオートノマスギャップを生成すべきダウンリンクキャリヤを指定している情報を取得するために、さらにまたは代わりに設定される。
【０１５７】
第２のネットワークノード１５は、以下の１つ以上のためにダウンリンクキャリヤを設定するようにダウンリンクキャリヤおよび／または能力の情報を使うよう構成された使用回路１１０２を有する：ハンドオーバまたはセル変更の後にシステム情報を取得するようユーザ装置１０に要求する；システム情報の取得のためにオートノマスギャップが或るダウンリンクキャリヤに生成されるかどうかに応じて１つ以上の物理層パラメータを設定する；キャリヤの上にオートノマスギャップが生成されるかどうかに応じてそのキャリヤの上のポジショニング測定と関連した設定パラメータを選択する；ネットワークパフォーマンスモニタリング；ネットワーク計画または展開；無線管理タスク。
【０１５８】
上述したように、無線管理タスクは、ユーザ装置１０によってオートノマスギャップがより頻繁に生成されるダウンリンクキャリヤに依存して構成および一つ以上の物理層パラメータを選択することを含んでもよい。
【０１５９】
ユーザ装置１０からのオートノマスギャップ情報を処理するこの実施形態は、本実施形態の機能および／または方法の動作を実行するためのコンピュータプログラムコードとともに、図１１中に示された第２のネットワークノード１５中の処理回路１１０３などの１つ以上のプロセッサを通して実装されてもよい。上述したプログラムコードはまた、例えばここに第２のネットワークノード１５にロードされるたきに実施形態を実行するためのコンピュータプログラムコードを担持するデータ担体という形で、コンピュータプログラム製品として提供できる。そのような担体のひとつがＣＤＲＯＭディスクという形であってもよい。しかしそれはメモリスティックなどの他のデータ担体によって実現可能である。さらにコンピュータプログラムコードはサーバ上の純粋のプログラムコードとして提供されて、第２のネットワークノード１５にダウンロードされてもよい。第２のネットワークノードはまた、能力、異なるセルまたはＵＥのＤＬキャリヤなどのデータを記憶するよう構成されたメモリ１１０４をさらに含んでもよい。
【０１６０】
当業者はまた、上述したように、説明した様々な「回路」が、アナログ回路とデジタル回路および／または、ひとつ以上のプロセッサにより実行されたときに上述したように機能するソフトウェアおよび／またはファームウェア（例えばメモリの中で記憶される）ともに構成されたひとつ以上のプロセッサの組み合わせを指すことがあることを理解するであろう。他のデジタルハードウェアと同様に、これらのプロセッサの１つ以上は、１つのアプリケーション固有集積回路（ＡＳＩＣ）に含められていてもよいし、あるいは、システムオンチップ（ＳｏＣ）中に個々にパッケージまたはアセンブルされているかどうかにかかわらず、いくつかのプロセッサと様々なデジタルハードウェアがいくつかの別個の構成品に分散されてもよい。
【０１６１】
開示された実施形態の変形例および他の実施形態は、前述した説明と関連づけられた図面において示された教示の利点を有する技術において当業者には思い浮かぶであろう。従って、実施形態が開示された特定の実施形態に制限されず、変形例と他の実施形態がこの開示の範囲の中に含まれることを意図していることが理解されてるはずである。特定の用語はここに使用されるけれども、それらは制限の目的のためにではなく総称で、説明の意味だけにおいて使われる。
【０１６２】
略語
４Ｃ  ４キャリヤ
Ａ−ＭＰＲ  追加最大電力低減
ＡＮＲ  自動隣接関係
ＡＯＡ  到来角
ＡＲＦＣＮ  発展型絶対無線周波数チャネル番号
ＢＣＨ  ブロードキャストチャネル
ＢＳ  基地局
ＢＳＣ  ＢＳコントローラ
ＣＡ  キャリヤアグリゲーション
ＣＧＩ  セルグローバルＩＤ
ＣＭ  圧縮モード
ＣｏＭＰ  協調マルチポイント送受信
ＣＰＩＣＨ  共通パイロットチャンネル
ＣＳＧ  閉鎖的加入者グループ
ＤＡＳ  分散アンテナシステム
ＤＢ−ＤＣ−ＨＳＤＰＡ  ２バンド２セルＨＳＤＰＡ
ＤＣ−ＨＳＵＰＡ  ２セル高速アップリンクパケットアクセス
ＤｅＮｏｄｅＢ  ドナーｅＮｏｄｅＢ
ＤＬ  ダウンリンク
ＥＡＲＦＣＮ  発展型絶対無線周波数チャネル番号
ＥＣＧＩ  発展型ＣＧＩ
Ｅ−ＣＩＤ  拡張セルＩＤ
Ｅ−ＳＭＬＣ  拡張ＳＭＬＣ
ＧＳＭ  グローバル・システム・フォー・モバイル・コミュニケーションズ
ＨＡＲＱ  ハイブリッド自動再送要求
ＨＲＰＤ  高レートパケットデータ
ＨＳＰＡ  高速パケットアクセス
Ｌ１  レイヤ１
Ｌ２  レイヤ２
ＬＭＵ  位置測定ユニット
ＬＰＰ  ＬＴＥポジショニングプロトコル
ＬＰＰａ  ＬＴＥポジショニングプロトコル付録
ＬＴＥ  長期発展
Ｍａｃ  媒体アクセス制御
ＭＤＴ  駆動テストの最小化
ＭＩＢ  マスタ情報ブロック
ＭＭＥ  モビリティ管理エンティティ
ＭＰＲ  最大電力低減
ＭＳＲ  マルチスタンダード無線
ＯＦＤＭ  直交周波数分割変調
ＯＦＤＭＡ  直交周波数分割多元接続
Ｏ＆Ｍ  運用及び保守
ＯＯＢ  帯域外
ＯＳＳ  運用及びサポートシステム
ＯＴＤＯＡ  観測した到着時間差
ＰＢＣＨ  物理ブロードキャストチャネル
ＰＣＩ  物理セルＩＤ
ＲＡＴ  無線アクセステクノロジー
ＲＮ  中継ノード
ＲＮＣ  ネットワークコントローラ
ＲＲＣ  無線リソースコントロール
ＲＲＨ  遠隔無線ヘッド
ＲＲＵ  遠隔無線ユニット
ＲＳＣＰ  受信信号コード電力
ＲＳＲＱ  基準信号受信品質
ＲＳＲＰ  基準信号受信電力
ＲＳＴＤ  基準信号時間差
ＳＭＬＣ  在圏移動ポジショニングセンタ
ＳＯＮ  自己組織化ネットワーク
ＲＳＳＩ  受信信号長インジケータ
ＳＩＢ  システム情報ブロック
ＳＩ  システム情報
ＵＡＲＦＣＮ  ＵＭＴＳ絶対無線周波数チャネル番号
ＵＥ  ユーザ装置
ＵＬ  アップリンク
ＵＴＤＯＡ  アップリンク到着時間差
ＷＣＤＭＡ  広帯域符号分割多元接続
【図１】
2014525698.tif 000003
【図２】
2014525698.tif 000004
【図３】
2014525698.tif 000005
【図４】
2014525698.tif 000006
【図５】
2014525698.tif 000007
【図６】
2014525698.tif 000008
【図７】
2014525698.tif 000009
【図８】
2014525698.tif 000010
【図９】
2014525698.tif 000011
【図１０】
2014525698.tif 000012
【図１１】
2014525698.tif 000013
【国際調査報告】
2014525698.tif 000014
2014525698.tif 000015
2014525698.tif 000016